(57)【要約】【課題】  観察者に対して、直観的かつ特異な視覚的効果を与える。【解決手段】  媒体１０上に２つの窓状領域１１，１２を設け、それぞれに別個のホログラムを記録する。各窓状領域１１，１２の外周は、回折格子が形成された枠状領域１３によって囲まれて窓枠のように見える。窓状領域１１に記録されているホログラムＨ１を再生すると（図の上段）、背景となる共通立体画像Ｃの手前に、星形の立体画像Ａ１が配置されている状態が再生される。窓状領域１２に記録されているホログラムＨ２を再生すると（図の下段）、背景となる共通立体画像Ｃの手前に、球形の立体画像Ｂ２が配置されている状態が再生される。左右の窓状領域１１，１２から奥を覗くと、共通の背景図形Ｃの手前に配置された物体が星形だったり球形だったり不一致を生じ、特異な視覚的効果を与える。立体図形を再生する位置に不一致を生じさせてもよい。【選択図】  図８
2010197446.tif 000002
【特許請求の範囲】
【請求項１】
互いに近傍に配置された第１の窓状領域および第２の窓状領域を有する光学的な記録媒体であって、
前記第１の窓状領域には、媒体の記録面より奥に広がる第１の三次元空間内の立体画像を再生するための第１のホログラムが記録されており、
前記第２の窓状領域には、媒体の記録面より奥に広がる第２の三次元空間内の立体画像を再生するための第２のホログラムが記録されており、
前記媒体の位置を基準とする絶対座標系を定義したときに、前記第１の三次元空間内に再生される立体画像もしくはその位置と前記第２の三次元空間内に再生される立体画像もしくはその位置とが不一致を生じることを特徴とするホログラム記録媒体。
【請求項２】
所定の間隙領域を挟んで配置された第１の窓状領域および第２の窓状領域と、
前記間隙領域を含み、前記第１の窓状領域の外周と前記第２の窓状領域の外周を取り囲む枠状領域と、
を有する光学的な記録媒体であって、
前記枠状領域には、媒体の記録面上の位置に平面画像が観察されるように画像情報が記録されており、
前記第１の窓状領域には、媒体の記録面より奥に広がる第１の三次元空間内の立体画像を再生するための第１のホログラムが記録されており、
前記第２の窓状領域には、媒体の記録面より奥に広がる第２の三次元空間内の立体画像を再生するための第２のホログラムが記録されており、
前記媒体の位置を基準とする絶対座標系を定義したときに、前記第１の三次元空間内に再生される立体画像もしくはその位置と前記第２の三次元空間内に再生される立体画像もしくはその位置とが不一致を生じることを特徴とするホログラム記録媒体。
【請求項３】
請求項２に記載のホログラム記録媒体において、
Ｍ行Ｎ列の二次元マトリックスをなすように、互いに所定間隔をおいて配置された（Ｍ×Ｎ）個の窓状領域を有し、「ｉ＋ｊ」が偶数となるような第ｉ行（１≦ｉ≦Ｍ）第ｊ列（１≦ｊ≦Ｎ）目の窓状領域によって第１の窓状領域を構成し、「ｉ＋ｊ」が奇数となるような第ｉ行（１≦ｉ≦Ｍ）第ｊ列（１≦ｊ≦Ｎ）目の窓状領域によって第２の窓状領域を構成し、これら各窓状領域の間隙部分を含み外周を取り囲む部分によって枠状領域を構成したことを特徴とするホログラム記録媒体。
【請求項４】
請求項１〜３のいずれかに記載のホログラム記録媒体において、
第１の三次元空間内の絶対座標系における特定位置に第１の立体画像が再生されるように第１のホログラムが記録されており、
第２の三次元空間内の絶対座標系における前記特定位置に前記第１の立体画像とは異なる第２の立体画像が再生されるように第２のホログラムが記録されていることを特徴とするホログラム記録媒体。
【請求項５】
請求項１〜３のいずれかに記載のホログラム記録媒体において、
第１の三次元空間内の絶対座標系における第１の位置に特定の立体画像が再生されるように第１のホログラムが記録されており、
第２の三次元空間内の絶対座標系における前記第１の位置とは異なる第２の位置に前記特定の立体画像が再生されるように第２のホログラムが記録されていることを特徴とするホログラム記録媒体。
【請求項６】
請求項５に記載のホログラム記録媒体において、
第１のホログラムには、第１の窓状領域を正面から観察する限りは視野に入らない位置に再生されるように特定の立体画像が記録されており、
第２のホログラムには、第２の窓状領域を正面から観察する限りは視野に入らない位置に再生されるように前記特定の立体画像が記録されていることを特徴とするホログラム記録媒体。
【請求項７】
請求項１〜３のいずれかに記載のホログラム記録媒体において、
第１の三次元空間内の絶対座標系における共通位置に共通立体画像が再生され、特定位置に第１の立体画像が再生されるように第１のホログラムが記録されており、
第２の三次元空間内の絶対座標系における前記共通位置に前記共通立体画像が再生され、前記特定位置に前記第１の立体画像とは異なる第２の立体画像が再生されるように第２のホログラムが記録されていることを特徴とするホログラム記録媒体。
【請求項８】
請求項１〜３のいずれかに記載のホログラム記録媒体において、
第１の三次元空間内の絶対座標系における共通位置に共通立体画像が再生され、第１の位置に特定の立体画像が再生されるように第１のホログラムが記録されており、
第２の三次元空間内の絶対座標系における前記共通位置に前記共通立体画像が再生され、前記第１の位置とは異なる第２の位置に前記特定の立体画像が再生されるように第２のホログラムが記録されていることを特徴とするホログラム記録媒体。
【請求項９】
請求項１〜３のいずれかに記載のホログラム記録媒体において、
第１の三次元空間内の絶対座標系における共通位置に共通立体画像が再生され、特定位置に特定の立体画像が再生されるように第１のホログラムが記録されており、
第２の三次元空間内の絶対座標系における前記共通位置に前記共通立体画像が再生され、前記特定位置には何も立体画像が再生されないように第２のホログラムが記録されていることを特徴とするホログラム記録媒体。
【請求項１０】
請求項１〜３のいずれかに記載のホログラム記録媒体において、
第１のホログラムと第２のホログラムとは互いに同一の干渉縞からなり、周期的画像と非周期的画像とを再生するホログラムであり、前記周期的画像は、第１の窓状領域および第２の窓状領域の配置ピッチに等しい空間周期をもった周期的形状をもつ立体画像であり、
前記第１のホログラムによって第１の三次元空間内に再生された前記周期的画像と、前記第２のホログラムによって第２の三次元空間内に再生された前記周期的画像とは、絶対座標系上において重なり合い、
前記第１のホログラムによって第１の三次元空間内に再生された前記非周期的画像と、前記第２のホログラムによって第２の三次元空間内に再生された前記非周期的画像とは、絶対座標系上において重なり合わないことを特徴とするホログラム記録媒体。
【請求項１１】
請求項１〜３のいずれかに記載のホログラム記録媒体において、
少なくとも一部の立体画像が、各窓状領域を正面から観察する限りは視野に入らない位置に再生される隠し立体画像であることを特徴とするホログラム記録媒体。
【請求項１２】
請求項１〜３のいずれかに記載のホログラム記録媒体において、
窓状領域を奥方向へ正射影して得られる見通しゾーンの外に配置された隠し立体画像が、当該窓状領域にホログラムとして記録されていることを特徴とするホログラム記録媒体。
【請求項１３】
請求項１〜１２のいずれかに記載のホログラム記録媒体において、
少なくとも一部の立体画像が、空間的に離隔配置された複数のオブジェクトからなることを特徴とするホログラム記録媒体。
【請求項１４】
請求項２または３に記載のホログラム記録媒体において、
枠状領域に、高さが３００μｍ以下のマイクロ文字が記録されていることを特徴とするホログラム記録媒体。
【請求項１５】
請求項２または３に記載のホログラム記録媒体において、
第１の窓状領域および第２の窓状領域が同じ大きさの矩形をなし、第１の窓状領域と第２の窓状領域との間の空隙領域が細長い長方形をなし、枠状領域が前記細長い長方形を含む複数の矩形を組み合わせることにより得られる図形をなすことを特徴とするホログラム記録媒体。
【請求項１６】
請求項２または３に記載のホログラム記録媒体において、
枠状領域に、平面画像の再生を行うための回折格子もしくは光散乱要素が配置されていることを特徴とするホログラム記録媒体。
【請求項１７】
請求項１６に記載のホログラム記録媒体において、
枠状領域に、回折格子が形成された多数の画素の集合体もしくは光散乱要素が形成された多数の画素の集合体によって、平面模様が記録されていることを特徴とするホログラム記録媒体。
【請求項１８】
請求項２または３に記載のホログラム記録媒体において、
枠状領域に、平面模様を媒体の記録面上の位置に再生するためのホログラムが記録されていることを特徴とするホログラム記録媒体。
【発明の詳細な説明】
【技術分野】
【０００１】
本発明は、ホログラム記録媒体に関し、特に、窓状領域の奥に広がる三次元空間内に立体画像を再生する機能をもったホログラム記録媒体に関する。
【背景技術】
【０００２】
カード類や商品パッケージの意匠性向上の用途、あるいは金券やクレジットカードについての偽造防止の用途として、ホログラムが広く利用されている。通常は、対象となる媒体上の一部に、ホログラムを記録する領域を設け、この領域内に立体画像などをホログラムの形で記録することが行われている。
【０００３】
現在、商業的に利用されているホログラムの多くは、光学的な手法により、原画像を媒体上に干渉縞として記録したものである。すなわち、原画像を構成する物体を用意し、この物体からの光と参照光とを、レンズなどの光学系を用いて感光剤が塗布された記録面上に導き、この記録面上に干渉縞を形成させるという手法を採っている。この光学的な手法は、鮮明な画像を得るためにかなり精度の高い光学系を必要とするが、ホログラムを得るための最も直接的な手法であり、産業上では最も広く普及している手法である。
【０００４】
これに対して、最近では、計算機を用いた演算により記録面上に干渉縞を形成させ、ホログラムを製造する手法も知られており、このような手法で製造されたホログラムは、一般に「計算機合成ホログラム（ＣＧＨ：Computer Generated Hologram ）」、あるいは単に「計算機ホログラム」と呼ばれている。この計算機合成ホログラムは、いわば光学的な干渉縞の生成プロセスをコンピュータ上でシミュレーションすることにより得られるものであり、干渉縞パターンを生成する過程は、すべてコンピュータ上の演算として行われる。このような演算によって干渉縞パターンの画像データが得られたら、この画像データに基いて、実際の媒体上に物理的な干渉縞が形成される。具体的には、たとえば、コンピュータによって作成された干渉縞パターンの画像データを電子線描画装置に与え、媒体上で電子線を走査することにより物理的な干渉縞を形成する方法が実用化されている。
【０００５】
この計算機合成ホログラムの手法では、現実的にはあり得ない環境下での光学的シミュレーションも可能になるため、様々な視覚的効果をもったホログラムの作成が可能になる。たとえば、下記の特許文献１には、計算機合成ホログラムの手法を用いて、視点位置を変えることにより異なる原画像を再生させることができるホログラム記録媒体の製造方法が開示されている。また、特許文献２には、ホログラムによる立体画像の背景部分に回折格子パターンからなる平面画像を合成する技術が開示されている。更に、特許文献３および４には、異なる位置から観察したときに異なる原画像の再生が行われるホログラム記録媒体が開示されており、特許文献５には、隣接した２つの画像が境界部分で滑らかに融合して観察されるホログラム記録媒体が開示されている。
【先行技術文献】
【特許文献】
【０００６】
【特許文献１】特開２００１−１０９３６２号公報
【特許文献２】特開２００６−０６５３４０号公報
【特許文献３】特開２００７−３３３９２４号公報
【特許文献４】特開２００７−３３３９２５号公報
【特許文献５】特開２００８−２４９９６１号公報
【発明の概要】
【発明が解決しようとする課題】
【０００７】
ホログラム記録媒体は、立体画像の再生機能を有しており、観察者に対して、通常の印刷媒体にはない特異な視覚的効果を提供することができる。このような特異な視覚的効果をもつホログラム記録媒体を、様々な商品やその包装に添付すれば、一般需用者の注意を喚起し、商品価値を高めることができる。また、偽造防止用シールとして利用すれば、真贋判定の用に供することができる。
【０００８】
このように、ホログラム記録媒体を産業上利用する場合、できるだけ特異な視覚的効果が醸し出されるのが好ましい。このため、前掲の各特許文献に開示されているように、視点位置により再生像が変わるホログラム、平面画像と合成した再生像が得られるホログラム、２つの原画像が境界部分で融合して観察されるホログラムなど、様々な工夫が施されたホログラムが提案されている。
【０００９】
しかしながら、一般需用者には、より斬新な視覚的効果をもつホログラムが求められており、また、偽造防止用シールの用途には、真贋判定をより直観的に行うことが可能なホログラムが求められている。
【００１０】
そこで本発明は、観察者に対して、直観的かつ特異な視覚的効果を与えることが可能なホログラム記録媒体を提供することを目的とする。
【課題を解決するための手段】
【００１１】
(1)   本発明の第１の態様は、互いに近傍に配置された第１の窓状領域および第２の窓状領域を有するホログラム記録媒体において、
第１の窓状領域には、媒体の記録面より奥に広がる第１の三次元空間内の立体画像を再生するための第１のホログラムが記録されており、
第２の窓状領域には、媒体の記録面より奥に広がる第２の三次元空間内の立体画像を再生するための第２のホログラムが記録されており、
媒体の位置を基準とする絶対座標系を定義したときに、第１の三次元空間内に再生される立体画像もしくはその位置と第２の三次元空間内に再生される立体画像もしくはその位置とが不一致を生じるようにしたものである。
【００１２】
(2)   本発明の第２の態様は、
所定の間隙領域を挟んで配置された第１の窓状領域および第２の窓状領域と、
この間隙領域を含み、第１の窓状領域の外周と第２の窓状領域の外周を取り囲む枠状領域と、
を有するホログラム記録媒体において、
枠状領域には、媒体の記録面上の位置に平面画像が観察されるように画像情報が記録されており、
第１の窓状領域には、媒体の記録面より奥に広がる第１の三次元空間内の立体画像を再生するための第１のホログラムが記録されており、
第２の窓状領域には、媒体の記録面より奥に広がる第２の三次元空間内の立体画像を再生するための第２のホログラムが記録されており、
媒体の位置を基準とする絶対座標系を定義したときに、第１の三次元空間内に再生される立体画像もしくはその位置と第２の三次元空間内に再生される立体画像もしくはその位置とが不一致を生じるようにしたものである。
【００１３】
(3)   本発明の第３の態様は、上述の第２の態様に係るホログラム記録媒体において、
Ｍ行Ｎ列の二次元マトリックスをなすように、互いに所定間隔をおいて配置された（Ｍ×Ｎ）個の窓状領域を有し、「ｉ＋ｊ」が偶数となるような第ｉ行（１≦ｉ≦Ｍ）第ｊ列（１≦ｊ≦Ｎ）目の窓状領域によって第１の窓状領域を構成し、「ｉ＋ｊ」が奇数となるような第ｉ行（１≦ｉ≦Ｍ）第ｊ列（１≦ｊ≦Ｎ）目の窓状領域によって第２の窓状領域を構成し、これら各窓状領域の間隙部分を含み外周を取り囲む部分によって枠状領域を構成したものである。
【００１４】
(4)   本発明の第４の態様は、上述の第１〜第３の態様に係るホログラム記録媒体において、
第１の三次元空間内の絶対座標系における特定位置に第１の立体画像が再生されるように第１のホログラムが記録されており、
第２の三次元空間内の絶対座標系における上記特定位置に上記第１の立体画像とは異なる第２の立体画像が再生されるように第２のホログラムが記録されているようにしたものである。
【００１５】
(5)   本発明の第５の態様は、上述の第１〜第３の態様に係るホログラム記録媒体において、
第１の三次元空間内の絶対座標系における第１の位置に特定の立体画像が再生されるように第１のホログラムが記録されており、
第２の三次元空間内の絶対座標系における上記第１の位置とは異なる第２の位置に上記特定の立体画像が再生されるように第２のホログラムが記録されているようにしたものである。
【００１６】
(6)   本発明の第６の態様は、上述の第５の態様に係るホログラム記録媒体において、
第１のホログラムには、第１の窓状領域を正面から観察する限りは視野に入らない位置に再生されるように特定の立体画像が記録されており、
第２のホログラムには、第２の窓状領域を正面から観察する限りは視野に入らない位置に再生されるように上記特定の立体画像が記録されているようにしたものである。
【００１７】
(7)   本発明の第７の態様は、上述の第１〜第３の態様に係るホログラム記録媒体において、
第１の三次元空間内の絶対座標系における共通位置に共通立体画像が再生され、特定位置に第１の立体画像が再生されるように第１のホログラムが記録されており、
第２の三次元空間内の絶対座標系における上記共通位置に上記共通立体画像が再生され、上記特定位置に上記第１の立体画像とは異なる第２の立体画像が再生されるように第２のホログラムが記録されているようにしたものである。
【００１８】
(8)   本発明の第８の態様は、上述の第１〜第３の態様に係るホログラム記録媒体において、
第１の三次元空間内の絶対座標系における共通位置に共通立体画像が再生され、第１の位置に特定の立体画像が再生されるように第１のホログラムが記録されており、
第２の三次元空間内の絶対座標系における上記共通位置に上記共通立体画像が再生され、上記第１の位置とは異なる第２の位置に上記特定の立体画像が再生されるように第２のホログラムが記録されているようにしたものである。
【００１９】
(9)   本発明の第９の態様は、上述の第１〜第３の態様に係るホログラム記録媒体において、
第１の三次元空間内の絶対座標系における共通位置に共通立体画像が再生され、特定位置に特定の立体画像が再生されるように第１のホログラムが記録されており、
第２の三次元空間内の絶対座標系における上記共通位置に上記共通立体画像が再生され、上記特定位置には何も立体画像が再生されないように第２のホログラムが記録されているようにしたものである。
【００２０】
(10)  本発明の第１０の態様は、上述の第１〜第３の態様に係るホログラム記録媒体において、
第１のホログラムと第２のホログラムとは互いに同一の干渉縞からなり、周期的画像と非周期的画像とを再生するホログラムであり、上記周期的画像は、第１の窓状領域および第２の窓状領域の配置ピッチに等しい空間周期をもった周期的形状をもつ立体画像であり、
第１のホログラムによって第１の三次元空間内に再生された周期的画像と、第２のホログラムによって第２の三次元空間内に再生された周期的画像とは、絶対座標系上において重なり合い、
第１のホログラムによって第１の三次元空間内に再生された非周期的画像と、第２のホログラムによって第２の三次元空間内に再生された非周期的画像とは、絶対座標系上において重なり合わないようにしたものである。
【００２１】
(11)  本発明の第１１の態様は、上述の第１〜第３の態様に係るホログラム記録媒体において、
少なくとも一部の立体画像が、各窓状領域を正面から観察する限りは視野に入らない位置に再生される隠し立体画像であるようにしたものである。
【００２２】
(12)  本発明の第１２の態様は、上述の第１〜第３の態様に係るホログラム記録媒体において、
窓状領域を奥方向へ正射影して得られる見通しゾーンの外に配置された隠し立体画像が、当該窓状領域にホログラムとして記録されているようにしたものである。
【００２３】
(13)  本発明の第１３の態様は、上述の第１〜第１２の態様に係るホログラム記録媒体において、
少なくとも一部の立体画像が、空間的に離隔配置された複数のオブジェクトからなるようにしたものである。
【００２４】
(14)  本発明の第１４の態様は、上述の第２または第３の態様に係るホログラム記録媒体において、
枠状領域に、高さが３００μｍ以下のマイクロ文字が記録されているようにしたものである。
【００２５】
(15)  本発明の第１５の態様は、上述の第２または第３の態様に係るホログラム記録媒体において、
第１の窓状領域および第２の窓状領域が同じ大きさの矩形をなし、第１の窓状領域と第２の窓状領域との間の空隙領域が細長い長方形をなし、枠状領域が上記細長い長方形を含む複数の矩形を組み合わせることにより得られる図形をなすようにしたものである。
【００２６】
(16)  本発明の第１６の態様は、上述の第２または第３の態様に係るホログラム記録媒体において、
枠状領域に、平面画像の再生を行うための回折格子もしくは光散乱要素が配置されているようにしたものである。
【００２７】
(17)  本発明の第１７の態様は、上述の第１６の態様に係るホログラム記録媒体において、
枠状領域に、回折格子が形成された多数の画素の集合体もしくは光散乱要素が形成された多数の画素の集合体によって、平面模様が記録されているようにしたものである。
【００２８】
(18)  本発明の第１８の態様は、上述の第２または第３の態様に係るホログラム記録媒体において、
枠状領域に、平面模様を媒体の記録面上の位置に再生するためのホログラムが記録されているようにしたものである。
【発明の効果】
【００２９】
本発明に係るホログラム記録媒体では、近傍に配置された２つの窓状領域について、その奥に広がる各三次元空間内の立体再生画像もしくはその位置が相互に不一致を生じるようなホログラムが記録されているため、観察者に対して、直観的かつ特異な視覚的効果を与えることが可能になる。すなわち、日常生活において、室内から窓を通して外界の景色を眺める場合、隣接する２つの窓を覗いたときに見える景色は一致しており、相互に整合性が保たれている。これに対して、本発明に係るホログラム記録媒体では、観察者が、媒体上に隣接配置された２つの窓状領域を覗くと、各窓状領域の奥に広がる三次元空間内に再生される立体画像もしくはその位置に不一致が生じており、相互の整合性が破れた状態が観察される。このような状態は、日常生活における常識からは逸脱した状態であり、観察者に対して、直観的かつ特異な視覚的効果を与えることになる。
【図面の簡単な説明】
【００３０】
【図１】本発明の基本的実施形態に係るホログラム記録媒体１０の平面図である。
【図２】図１に示すホログラム記録媒体１０を切断線２−２に沿って切断した横断面およびその背後に再生された立体画像を示す上面図である。
【図３】第１の窓状領域１１にホログラムＨ１を記録する一方法を示す上面図（上段）および第２の窓状領域１２にホログラムＨ２を記録する一方法を示す上面図（下段）である。
【図４】図３に示す方法で記録されたホログラムＨ１によって再生される立体画像（上段）およびホログラムＨ２によって再生される立体画像（下段）を示す上面図である。
【図５】本発明の方法で第１の窓状領域１１に記録されたホログラムＨ１によって再生される立体画像の一例を示す上面図（上段）および第２の窓状領域１２に記録されたホログラムＨ２によって再生される立体画像（下段）の一例を示す上面図である。
【図６】本発明の方法で第１の窓状領域１１に記録されたホログラムＨ１によって再生される立体画像の別な一例を示す上面図（上段）および第２の窓状領域１２に記録されたホログラムＨ２によって再生される立体画像（下段）の別な一例を示す上面図である。
【図７】本発明の方法で第１の窓状領域１１に記録されたホログラムＨ１によって再生される立体画像の更に別な一例を示す上面図（上段）および第２の窓状領域１２に記録されたホログラムＨ２によって再生される立体画像（下段）の更に別な一例を示す上面図である。
【図８】本発明の方法で第１の窓状領域１１に記録されたホログラムＨ１によって再生される共通立体画像Ｃを含む立体画像の一例を示す上面図（上段）および第２の窓状領域１２に記録されたホログラムＨ２によって再生される立体画像（下段）の一例を示す上面図である。
【図９】本発明の方法で第１の窓状領域１１に記録されたホログラムＨ１によって再生される共通立体画像Ｃを含む立体画像の別な一例を示す上面図（上段）および第２の窓状領域１２に記録されたホログラムＨ２によって再生される立体画像（下段）の別な一例を示す上面図である。
【図１０】本発明の方法で第１の窓状領域１１に記録されたホログラムＨ１によって再生される共通立体画像Ｃを含む立体画像の更に別な一例を示す上面図（上段）および第２の窓状領域１２に記録されたホログラムＨ２によって再生される立体画像（下段）の更に別な一例を示す上面図である。
【図１１】ピッチＰで円錐部Ｆ１〜Ｆ５が配置された周期的画像Ｆを記録媒体Ｍ上にホログラムＨとして記録する例を示す上面図である。
【図１２】記録媒体２０上にピッチＰで繰り返し配置された窓状領域２１〜２５のそれぞれに、図１１に示す同一のホログラムＨを記録した例を示す上面図である。
【図１３】図１２に示す窓状領域２３に記録されたホログラムＨ２３によって再生される周期的画像Ｆを示す上面図である。
【図１４】図１２に示す窓状領域２４に記録されたホログラムＨ２４によって再生される周期的画像Ｆを示す上面図である。
【図１５】図１２に示す窓状領域２２に記録されたホログラムＨ２２によって再生される周期的画像Ｆを示す上面図である。
【図１６】ピッチＰで円錐部Ｆ１〜Ｆ５が配置された周期的画像Ｆと、非周期的画像Ａ，Ｂとを記録媒体Ｍ上にホログラムＨとして記録する例を示す上面図である。
【図１７】記録媒体２０上にピッチＰで繰り返し配置された窓状領域２１〜２５のそれぞれに、図１６に示す同一のホログラムＨを記録した場合に、窓状領域２３に記録されたホログラムＨ２３によって再生される立体画像を示す上面図である。
【図１８】記録媒体２０上にピッチＰで繰り返し配置された窓状領域２１〜２５のそれぞれに、図１６に示す同一のホログラムＨを記録した場合に、窓状領域２４に記録されたホログラムＨ２４によって再生される立体画像を示す上面図である。
【図１９】本発明の別な実施形態に係るホログラム記録媒体３０の平面図である。
【図２０】本発明の更に別な実施形態に係るホログラム記録媒体４０の平面図である。
【図２１】本発明における隠し立体画像の記録方法を示す上面図である。
【図２２】１つの立体画像を、空間的に離隔配置された複数のオブジェクトによって構成した変形例を示す上面図である。
【図２３】図１に示す基本的実施形態に係るホログラム記録媒体１０の部分拡大図である。
【発明を実施するための形態】
【００３１】
以下、本発明を図示する実施形態に基づいて説明する。
【００３２】
＜＜＜  §１．本発明に係るホログラム記録媒体の基本構成  ＞＞＞
図１は、本発明の基本的実施形態に係るホログラム記録媒体１０の平面図である。図示のとおり、このホログラム記録媒体１０は、互いに近傍に配置された第１の窓状領域１１および第２の窓状領域１２を有する光学的な記録媒体であり、後述するように、各窓状領域１１，１２には、それぞれホログラムが記録される。ホログラム記録媒体１０のサイズは特に限定されないが、たとえば、クレジットカード用の偽造防止シールとして利用される一般的な媒体の場合、縦幅が１５ｍｍ、横幅が２０ｍｍ程度の樹脂フィルムによって構成される。
【００３３】
本発明に係るホログラム記録媒体上には、少なくとも２つの窓状領域が隣り合って配置される。ここで、２つの窓状領域１１，１２は、相互に直接接するような配置をとることも可能であるが、ここに示す実施形態では、図示のとおり、所定の間隙領域を挟んで第１の窓状領域１１および第２の窓状領域１２が左右に配置されている。しかも、２つの窓状領域１１，１２の間に位置する間隙領域を含み、第１の窓状領域１１の外周と第２の窓状領域１２の外周を取り囲むように、枠状領域１３（図に斜線ハッチングを施して示す領域）が設けられている。なお、図１において、枠状領域１３にハッチングを施して示したのは、当該領域の全体形状を明瞭に示すためであり、ハッチングは断面を示すためのものではない。§７で詳述するとおり、この枠状領域１３には、媒体の記録面上の位置に平面画像が観察されるように画像情報が記録されており、この画像情報により窓枠模様が形成されている。
【００３４】
各窓状領域１１，１２に記録されているホログラムは、媒体の記録面（媒体１０の表面）より奥に広がる三次元空間内に立体画像を再生する。したがって、媒体の手前側の観察者から見ると、あたかも窓枠（枠状領域１３）で縁取りされた２つの窓（各窓状領域１１，１２）の奥に、立体画像が配置された三次元空間が広がっているように見える。
【００３５】
図２は、図１に示すホログラム記録媒体１０を切断線２−２に沿って切断した横断面およびその背後に再生された立体画像を示す上面図である。ここで、ホログラム記録媒体１０は、実在の物理的な媒体であり、図２にはその断面が示されている。一般的な量産品の場合、ホログラム記録媒体１０の材質は樹脂フィルムであり、その厚みは３０μｍ程度であるが、本願では、図示の便宜上、厚みの寸法比を無視した図面を示すことにする。また、本願におけるホログラム記録媒体１０の断面図では、説明の便宜上、枠状領域１３の断面部分にのみ図１の平面図と同じ斜線ハッチングを施すことにする。したがって、図２に示す窓状領域１１，１２には、断面を示すハッチングは省略されている。
【００３６】
一方、図２において、ホログラム記録媒体１０の上方に描かれている２つの立体画像Ａ，Ｂは、実在の物体ではなく、ホログラムによる再生像である。ここでは、この２つの立体画像Ａ，Ｂが図面上で明瞭に区別できるように、立体画像Ａは上方から見ると星形の立体であり、立体画像Ｂは球であるものとする。なお、図２の下方には、視点Ｅが描かれているが、これは媒体１０の下方側の面から観察者による観察が行われることを示すものであり、両眼の正確な位置を示すものではない。実際の観察時における、各窓状領域１１，１２に対する両眼の位置は、観察者が好みに応じて任意に決めるべき事項である。
【００３７】
さて、図２に示すように、ホログラム記録媒体１０を視点Ｅ側から観察したときに、２つの窓状領域１１，１２の奥に広がる三次元空間内に、図示のような２つの立体画像Ａ，Ｂが再生されるようにするには、予め、窓状領域１１，１２にそれぞれホログラムとして２つの立体画像Ａ，Ｂを記録しておく必要がある。図３は、このようなホログラムの記録方法の一例を示す図である。図３の上段は、第１の窓状領域１１にホログラムＨ１を記録する方法を示す上面図であり、下段は、第２の窓状領域１２にホログラムＨ２を記録する方法を示す上面図である。いずれの図も、ホログラム記録媒体１０の部分は、図１に示すホログラム記録媒体１０を切断線２−２に沿って切断した横断面を示しており、立体画像Ａ，Ｂは上方から見た状態が示されている。
【００３８】
なお、実際には、この図３に示す記録方法は、本発明に係るホログラム記録媒体１０を得るための方法ではない。ただ、ここでは、説明の便宜上、まず、この図３に示す記録方法によって得られるホログラム記録媒体の性質を述べた上で、これとの対比により、本発明に係るホログラム記録媒体の特徴を述べることにする。
【００３９】
図３の上段に示すとおり、第１の窓状領域１１にホログラムＨ１を記録するには、立体画像Ａの各部分から窓状領域１１へ向かう物体光、立体画像Ｂの各部分から窓状領域１１へ向かう物体光、そして参照光Ｒ、によって媒体１０の記録面（図示の例の場合、媒体１０の上側の面）に生じる干渉縞を、窓状領域１１に記録すればよい。図では、立体画像Ａ上のサンプル点ａからの物体光と、立体画像Ｂ上のサンプル点ｂからの物体光と、参照光Ｒとが、第１の窓状領域１１に向かい、記録面上で干渉縞が形成される様子が示されているが、実際には、窓状領域１１から見て、隠面でないすべての面からの物体光と参照光Ｒとが相互に干渉し合って形成される干渉縞が、ホログラムＨ１として記録されることになる。
【００４０】
一方、第２の窓状領域１２にホログラムＨ２を記録するには、図３の下段に示すように、立体画像Ａ，Ｂの各部分から窓状領域１２へ向かう物体光と参照光Ｒとによって記録面に生じる干渉縞を、窓状領域１２に記録すればよい。
【００４１】
このようなホログラムを記録する古典的な方法は、光学的な手法によるものである。すなわち、原画像となる立体画像Ａ，Ｂを、実在の物体として用意し、レーザ光源などから得た単色のコヒーレント光を照射し、各物体表面からの反射光を物体光として記録面上で捉える。このとき、同じコヒーレント光を参照光Ｒとして、所定の角度で記録面に照射し、記録面上に干渉縞を形成する。たとえば、窓状領域１１の記録面を感光性媒体で構成しておけば、形成された干渉縞が感光性媒体上に固定され、ホログラムＨ１として記録されることになる。
【００４２】
このようにして記録されたホログラムを再生する理想的な環境は、記録時と全く同じコヒーレント光を用いた再生環境である。すなわち、記録時に用いた単色のコヒーレント光を、記録時の参照光Ｒと同じ角度から再生用照明光として媒体に照射すれば、理想的な再生像を得ることができる。もっとも、偽造防止用シールなどの用途に利用された場合、一般的な日常生活環境での観察が行われることになるので、白色に近い多数の光源からの再生用照明光が様々な方向から照射された状態での観察が行われる。もちろん、このような観察環境では、理想的な再生像を得ることはできないが、真贋を判定する用途に利用するには十分である。
【００４３】
一方、最近では、「計算機合成ホログラム（ＣＧＨ）」の手法も一般化しつつある。この手法では、上述した光学的な干渉縞の生成プロセスが、コンピュータ上でのシミュレーションとして実行され、干渉縞パターンを生成する過程は、すべてコンピュータ上の演算として行われる。すなわち、記録面上に定義された個々の演算点ごとに、立体画像Ａ，Ｂの各部分から到達した物体光と参照光Ｒとの合成波の強度値が計算され、強度値の分布が実際の媒体上に物理的な干渉縞として記録されることになる。具体的には、濃淡パターンや凹凸パターンとして、強度値分布の記録が行われる。
【００４４】
なお、実際のホログラム記録媒体には、視点Ｅの反対側から再生用照明光を照射し、媒体を透過した光を観察する透過型のタイプと、視点Ｅと同じ側から再生用照明光を照射し、媒体から反射した光を観察する反射型のタイプとがあるが、本発明はいずれのタイプの媒体にも適用可能である。濃淡パターンや凹凸パターンが実際に形成される記録面の位置は、ホログラム記録媒体１０の層構成によって定まる。通常、媒体１０の表面もしくは裏側の表層近傍に記録面が形成される場合が多い。したがって、図３に示すホログラムＨ１，Ｈ２は、媒体１０に応じた実際の記録面の位置に形成されることになる。
【００４５】
以上、一般的なホログラムの記録手法を簡単に述べたが、これらの手法はいずれも公知の手法であるため、ここでは詳しい説明は省略する。本発明の特徴は、２つの窓状領域１１，１２に記録する立体画像の相互関係にあり、ホログラムの記録手法それ自体は、従来から公知の手法をそのまま利用すればよい。したがって、本発明では、ホログラムを記録する際に、実在の物体を光学的に撮影する古典的な方法を用いてもかまわないし、「計算機合成ホログラム（ＣＧＨ）」の手法を用いてもかまわない。また、ホログラフィックステレオグラムの手法を取り入れて立体画像の記録を行ってもかまわない。
【００４６】
さて、図３を見れば明らかなように、媒体１０の奥に広がっている三次元空間、すなわち、立体画像Ａ，Ｂが配置された空間の情報は、窓状領域１１内にホログラムＨ１として記録されるとともに、窓状領域１２内にホログラムＨ２としても記録される。ここで、ホログラムＨ１とＨ２とは、別個独立したものなので、いずれか一方だけでも、立体画像Ａ，Ｂの再生が可能である。
【００４７】
図４の上段は、図３の上段に示す方法で媒体１０上に記録されたホログラムＨ１によって再生される立体画像Ａ１，Ｂ１を示す上面図であり、図４の下段は、図３の下段に示す方法で媒体１０上に記録されたホログラムＨ２によって再生される立体画像Ａ２，Ｂ２を示す上面図である。いずれの図も、ホログラム記録媒体１０の部分は、図１に示すホログラム記録媒体１０を切断線２−２に沿って切断した横断面を示しており（枠状領域１３の断面部分にのみ斜線ハッチングを施す）、立体画像Ａ，Ｂは上方から見た状態が示されている。なお、以後、上面図として示す各図は、いずれもホログラム記録媒体の部分は横断面を示し（枠状領域の断面部分にのみ斜線ハッチングを施す）、立体画像は上方から見た状態を示している。
【００４８】
まず、図４の上段に示すように、第１の窓状領域１１の手前に視点Ｅ１をおき、ホログラムＨ１を再生した場合を考えよう。この場合、観察者には、第１の窓状領域１１の奥に広がる第１の三次元空間Ｓ１が観察されることになる。この第１の三次元空間Ｓ１には、星形の立体画像Ａ１および球形の立体画像Ｂ１が配置されている。次に、図４の下段に示すように、第２の窓状領域１２の手前に視点Ｅ２をおき、ホログラムＨ２を再生した場合を考えよう。この場合、観察者には、第２の窓状領域１２の奥に広がる第２の三次元空間Ｓ２が観察されることになる。この第２の三次元空間Ｓ２にも、星形の立体画像Ａ２および球形の立体画像Ｂ２が配置されている。
【００４９】
すなわち、観察者が、第１の窓状領域１１の奥を覗くと、立体画像Ａ１，Ｂ１が配置された第１の三次元空間Ｓ１が再現され、第２の窓状領域１２の奥を覗くと、立体画像Ａ２，Ｂ２が配置された第２の三次元空間Ｓ２が再現されることになる。しかも、立体画像Ａ１，Ｂ１は、図３上段に示す原画像となる立体画像Ａ，Ｂの再生像であり、立体画像Ａ２，Ｂ２は、図３下段に示す原画像となる立体画像Ａ，Ｂの再生像であるから、図３の上段および下段に示す記録プロセスにおいて、同一の原画像Ａ，Ｂを用いるようにすれば、立体画像Ａ１，Ｂ１の形状および位置は、立体画像Ａ２，Ｂ２の形状および位置に一致する。
【００５０】
要するに、第１の窓状領域１１の奥に広がる第１の三次元空間Ｓ１の構成は、第２の窓状領域１２の奥に広がる第２の三次元空間Ｓ２の構成に一致する。したがって、観察者から見れば、いずれの窓状領域から奥を覗いても、同一の三次元空間が広がっているように見える。
【００５１】
前述したように、観察時に、観察者が両眼をどの位置に置いて観察を行うかは任意である。したがって、たとえば、左目を、視点Ｅ１に置いて図４上段に示す第１の三次元空間Ｓ１を観察し、右目を、視点Ｅ２に置いて図４下段に示す第２の三次元空間Ｓ２を観察する、という観察態様をとる場合もあろう。あるいは、左右両眼で図４上段に示す第１の三次元空間Ｓ１のみを観察したり、左右両眼で図４下段に示す第２の三次元空間Ｓ２のみを観察したりする場合もあろう。もちろん、観察者が望めば、片目を閉じて観察することも可能である。ただ、通常、観察者は手にもった媒体１０を顔面前方に保持し、両方の窓状領域１１，１２の奥に広がる空間を何気なく観察するであろう。このとき、手や顔の位置は、ある程度は動くことになるから、媒体１０に対する視点位置は多少なりとも変動することになる。したがって、実際には、図４上段に示す第１の三次元空間Ｓ１と図４下段に示す第２の三次元空間Ｓ２との双方が、両眼によって把握される、といった観察態様が一般的になろう。
【００５２】
いずれにせよ、図３に示す記録方法で作成されたホログラム記録媒体１０を観察する限りにおいては、第１の窓状領域１１の奥に広がる第１の三次元空間Ｓ１の構成と第２の窓状領域１２の奥に広がる第２の三次元空間Ｓ２の構成とは一致するので、どのような観察態様を採ろうが、観察者は、２つの窓状領域１１，１２を通して、奥に広がる同一の三次元空間を把握することになる。これは、日常生活において、室内から窓を通して外界の景色を眺めた場合の経験に一致する。隣接する２つの窓から、外の景色を眺めた場合、各窓を通して見える景色は一致しており、相互に整合性が保たれている。この整合性は、視点位置を移動させても変わることはない。
【００５３】
図４に示す例の場合、上段に示す立体画像Ａ１，Ｂ１は、ホログラムＨ１の再生像であり、下段に示す立体画像Ａ２，Ｂ２は、ホログラムＨ２の再生像であるから、本来は別々の再生像ということになる。しかしながら、それぞれが同一サイズ、同一形状の立体であり、媒体１０の位置を基準とする絶対座標系を定義したときに、当該絶対座標系における立体画像Ａ１の位置と立体画像Ａ２の位置とは一致し、立体画像Ｂ１の位置と立体画像Ｂ２の位置とは一致するので、観察者には、第１の窓状領域１１の奥に広がる第１の三次元空間Ｓ１の構成と第２の窓状領域１２の奥に広がる第２の三次元空間Ｓ２の構成とが一致して見え、いずれの窓の奥にも、共通の三次元空間が存在するように見えるのである。
【００５４】
本発明の特徴は、このような日常生活における常識に反する形の再生像を提示することにより、観察者に対して、直観的かつ特異な視覚的効果を与える点にある。すなわち、本発明に係るホログラム記録媒体では、互いに近傍に配置された２つの窓状領域について、その奥に広がる各三次元空間内の立体再生画像もしくはその位置が相互に不一致を生じるようなホログラムが記録されている。このような媒体を観察すると、あたかも、左右に隣接する２つの窓がある部屋から外部を眺めたときに、左の窓を通して見える景色と右の窓を通して見える景色とが不一致を生じるような現象が生じることになり、観察者に対して、常識に反する特異な視覚的効果を与えることが可能になる。
【００５５】
すなわち、本発明に係るホログラム記録媒体１０では、第１の窓状領域１１には、媒体１０の記録面より奥に広がる第１の三次元空間Ｓ１内の立体画像（図４に示す例の場合は、立体画像Ａ１，Ｂ１）を再生するための第１のホログラムＨ１が記録されており、第２の窓状領域１２には、媒体１０の記録面より奥に広がる第２の三次元空間内の立体画像（図４に示す例の場合は、立体画像Ａ２，Ｂ２）を再生するための第２のホログラムＨ２が記録されており、しかも、媒体１０の位置を基準とする絶対座標系を定義したときに、第１の三次元空間Ｓ１内に再生される立体画像もしくはその位置と第２の三次元空間Ｓ２内に再生される立体画像もしくはその位置とが不一致を生じるようになっている（図４に示す例は、本発明の実施例ではないので、そのようになっていない）。
【００５６】
ここで、「立体画像」自体を不一致にするためには、その形状、サイズ、色彩といった要素が異なるようにすればよい。また、本願にいう「立体画像の位置」とは、絶対座標系上における座標のみならず、配置角度（向き）も含む概念であり、「立体画像の位置」を不一致にするためには、絶対座標系上における座標値が異なるようにしてもよいし、配置向きが異なるようにしてもよい。
【００５７】
＜＜＜  §２．具体的な立体画像の記録態様  ＞＞＞
さて、§１では、本発明に係るホログラム記録媒体の基本構成を概念的に説明した。すなわち、その要点は、第１の窓状領域１１に記録されたホログラムＨ１によって第１の三次元空間Ｓ１内に再生される立体画像もしくはその位置と、第２の窓状領域１２に記録されたホログラムＨ２によって第２の三次元空間Ｓ２内に再生される立体画像もしくはその位置とが、不一致を生じるようにすればよい。ここでは、そのような不一致を生じさせる具体的な記録態様を個別に述べることにする。
【００５８】
図５に示す実施形態は、図の上段に示すように、第１の窓状領域１１に記録されたホログラムＨ１によって、星形の立体画像Ａ１を含む第１の三次元空間Ｓ１が再生され、図の下段に示すように、第２の窓状領域１２に記録されたホログラムＨ２によって、球形の立体画像Ｂ２を含む第２の三次元空間Ｓ２が再生されるようにした例である。媒体１０の位置を基準とする絶対座標系を定義すると、星形の立体画像Ａ１も球形の立体画像Ｂ２も、その中心点（たとえば、立体図形の重心）が同一の特定位置Ｑにくるように配置されている。
【００５９】
したがって、２つの窓状領域１１，１２を通して、全く同一の特定位置Ｑに立体画像が観察されるものの、当該立体画像自体は、相互に異なったものとなる。すなわち、第１の窓状領域１１の奥に形成される第１の三次元空間Ｓ１内の特定位置Ｑに再生される立体画像は星形の立体画像Ａ１であるのに、第２の窓状領域１２の奥に形成される第２の三次元空間Ｓ２内の特定位置Ｑに再生される立体画像は球形の立体画像Ｂ２になるので、覗く窓によって再生される立体画像が異なることになる。
【００６０】
観察者が両方の窓を漠然と眺めると、窓の向こう側の特定位置Ｑにおいて、星形の立体画像Ａ１と球形の立体画像Ｂ２とが同一空間上で重なっているような光景が見えることになる。ここで、左側の窓状領域１１を通して観察すると、特定位置Ｑに星形の立体画像Ａ１が配置されているように認識できるものの、右側の窓状領域１２を通して観察すると、星形の立体画像Ａ１が球形の立体画像Ｂ１に変化したように見える。このように、左の窓を通して見える物体の形状と右の窓を通して見える物体の形状とが不一致を生じる現象は、日常は経験することのない特異な現象であり、観察者に対して、常識に反する特異な視覚的効果を与えることになる。
【００６１】
このような視覚的効果を与えるホログラム記録媒体１０を作成するには、第１の三次元空間Ｓ１内の絶対座標系における特定位置Ｑに第１の立体画像Ａ１が再生されるように、第１の窓状領域１１内に第１のホログラムＨ１を記録するとともに、第２の三次元空間Ｓ２内の絶対座標系における前記特定位置Ｑに前記第１の立体画像Ａ１とは異なる第２の立体画像Ｂ２が再生されるように第２のホログラムＨ２を記録すればよい。
【００６２】
続く図６に示す実施形態は、図の上段に示すように、第１の窓状領域１１に記録されたホログラムＨ１によって、星形の立体画像Ａ１を含む第１の三次元空間Ｓ１が再生され、図の下段に示すように、第２の窓状領域１２に記録されたホログラムＨ２によって、星形の立体画像Ａ２を含む第２の三次元空間Ｓ２が再生されるようにした例である。いずれの場合も、同一（同形同サイズ）の星形の立体画像が再生されるものの、媒体１０の位置を基準とする絶対座標系における再生位置は両者で異なっている。すなわち、ホログラムＨ１による再生像Ａ１は第１の位置Ｑ１（図における第２の窓状領域１２の真うしろ）に現れるのに対して、ホログラムＨ２による再生像Ａ２は第２の位置Ｑ２（図における第１の窓状領域１１の真うしろ）に現れる。
【００６３】
したがって、２つの窓状領域１１，１２を通して観察される立体画像は、同一の星形の立体画像であるものの、その再生位置は相互に異なったものとなる。すなわち、観察者が、左側の窓状領域１１を通して観察すると、第１の位置Ｑ１に星形の立体画像Ａ１が配置されているように認識できるが、右側の窓状領域１２を通して観察すると、第２の位置Ｑ２に星形の立体画像Ａ２が配置されているように認識でき、あたかも星形の物体が転移したように見える。このような特異な現象は、やはり、観察者に対して特異な視覚的効果を与えることになる。
【００６４】
このような視覚的効果を与えるホログラム記録媒体１０を作成するには、第１の三次元空間Ｓ１内の絶対座標系における第１の位置Ｑ１に特定の立体画像Ａ１が再生されるように、第１の窓状領域１１内に第１のホログラムＨ１を記録するとともに、第２の三次元空間Ｓ２内の絶対座標系における前記第１の位置Ｑ１とは異なる第２の位置Ｑ２に特定の立体画像Ａ２（立体画像Ａ１と同一の立体画像）が再生されるように、第２の窓状領域１２内に第２のホログラムＨ２を記録すればよい。
【００６５】
しかも、図６に示す実施形態の場合、第１のホログラムＨ１には、第１の窓状領域１１を正面から観察する限りは視野に入らない位置（第１の位置Ｑ１）に再生されるように特定の立体画像Ａ１が記録されており、また、第２のホログラムＨ２には、第２の窓状領域１２を正面から観察する限りは視野に入らない位置（第２の位置Ｑ２）に再生されるように特定の立体画像Ａ２が記録されている。
【００６６】
このため、この図６に示す実施形態では、ホログラム記録媒体１０を正面から観察すると（視線が記録面に直交するような方向から観察すると）、立体画像Ａ１，Ａ２はいずれも視野外となるため観察できない。
【００６７】
すなわち、図６の上段に示されている立体画像Ａ１は、第２の窓状領域１２の真うしろの位置Ｑ１に再生される像であるが、第１のホログラムＨ１として記録された像であるため、第２の窓状領域１２を正面から観察しても見ることはできない。立体画像Ａ１を観察するためには、第１の窓状領域１１を通して斜め右奥を覗き込む必要がある。一方、図６の下段に示されている立体画像Ａ２は、第１の窓状領域１１の真うしろの位置Ｑ２に再生される像であるが、第２のホログラムＨ２として記録された像であるため、第１の窓状領域１１を正面から観察しても見ることはできない。立体画像Ａ２を観察するためには、第２の窓状領域１２を通して斜め左奥を覗き込む必要がある。
【００６８】
結局、この図６に示す実施形態の場合、観察者が媒体１０の両方の窓を正面から漠然と眺めても、窓の向こう側には何の立体画像も見えない。ところが、左側の窓（第１の窓状領域１１）を斜めから覗き込むと右奥に立体画像Ａ１が観察でき、右側の窓（第２の窓状領域１２）を斜めから覗き込むと左奥に立体画像Ａ２が観察できることになる。別言すれば、図６の上段に示すように、左側の窓から覗く限りにおいては、右側の窓の奥に立体画像Ａ１が存在するように見えているのにもかかわらず、右側の窓を正面から覗くと、そこには立体画像Ａ１は存在しないように見える。また、図６の下段に示すように、右側の窓から覗く限りにおいては、左側の窓の奥に立体画像Ａ２が存在するように見えているのにもかかわらず、左側の窓を正面から覗くと、そこには立体画像Ａ２は存在しないように見える。このような現象は、日常は経験することのない極めて特異な現象であり、立体画像Ａ１，Ａ２は、いわば「隠し立体画像」というべき不思議な再生像になる。
【００６９】
一方、図７に示す実施形態は、図５に示す実施形態の特徴と図６に示す実施形態の特徴とを組み合わせたものである。図の上段に示すように、第１の窓状領域１１に記録されたホログラムＨ１によって、星形の立体画像Ａ１と球形の立体画像Ｂ１とを含む第１の三次元空間Ｓ１が再生され、図の下段に示すように、第２の窓状領域１２に記録されたホログラムＨ２によって、星形の立体画像Ａ２と球形の立体画像Ｂ２とを含む第２の三次元空間Ｓ２が再生されるようにした例である。
【００７０】
ここで、立体画像Ａ１とＡ２とは、同一（同形同サイズ）の星形の立体画像であるものの、その再生位置は両者で異なっている。すなわち、ホログラムＨ１による再生像Ａ１は第１の位置Ｑ１（第２の窓状領域１２の真うしろ）に現れるのに対して、ホログラムＨ２による再生像Ａ２は第２の位置Ｑ２（第１の窓状領域１１の真うしろ）に現れる。同様に、立体画像Ｂ１とＢ２とは、同一（同形同サイズ）の球形の立体画像であるものの、その再生位置は両者で異なっている。すなわち、ホログラムＨ１による再生像Ｂ１は第２の位置Ｑ２（第１の窓状領域１１の真うしろ）に現れるのに対して、ホログラムＨ２による再生像Ｂ２は第１の位置Ｑ１（第２の窓状領域１２の真うしろ）に現れる。
【００７１】
もっとも、星形の立体画像Ａ１，Ａ２は、いずれも正面から観察した場合には見えない「隠し立体画像」になっている。したがって、観察者が、媒体１０の両方の窓を正面から漠然と眺めると、左側の窓（第１の窓状領域１１）の奥には球形の立体画像Ｂ１が見え、右側の窓（第２の窓状領域１２）の奥には球形の立体画像Ｂ２が見えるので、あたかも、それぞれの窓の奥に、球形の立体画像が配置されているように見える。
【００７２】
ところが、観察者が、左側の窓状領域１１を通して奥に広がる三次元空間Ｓ１を覗き込むと、左側（位置Ｑ２）に球形の立体画像Ｂ１、右側（位置Ｑ１）に星形の立体画像Ａ１が配置されている状態が認識できる。また、右側の窓状領域１２を通して奥に広がる三次元空間Ｓ２を覗き込むと、右側（位置Ｑ１）に球形の立体画像Ｂ２、左側（位置Ｑ２）に星形の立体画像Ａ２が配置されている状態が認識できる。このように、２つの窓状領域１１，１２を通して観察される２つの立体画像は、再生位置が相互に入れ替わったように感じられる。また、同じ位置に存在する物体の形状が、星形から球形へもしくは球形から星形へと変化したようにも感じられる。このような特異な現象は、やはり、観察者に対して特異な視覚的効果を与えることになる。
【００７３】
＜＜＜  §３．共通立体画像を用いる記録態様  ＞＞＞
§２では、第１の窓状領域１１の奥に広がる三次元空間Ｓ１内のすべての立体画像と、第２の窓状領域１２の奥に広がる三次元空間Ｓ２内のすべての立体画像とについて、形状、サイズ、もしくは位置のいずれかに関する不一致が生じる例を述べた。ここでは、三次元空間内に複数の立体画像が配置されており、その一部については不一致を生じるが、一部については、形状、サイズ、位置のすべてが一致する例を述べることにする。以下、三次元空間Ｓ１およびＳ２の双方について、形状、サイズ、位置のすべてが一致する立体画像を「共通立体画像」と呼ぶことにする。
【００７４】
図８に示す実施形態は、図の上段に示すように、第１の窓状領域１１に記録されたホログラムＨ１によって、背景となる共通立体画像Ｃと星形の立体画像Ａ１とを含む第１の三次元空間Ｓ１が再生され、図の下段に示すように、第２の窓状領域１２に記録されたホログラムＨ２によって、背景となる共通立体画像Ｃと球形の立体画像Ｂ２とを含む第２の三次元空間Ｓ２が再生されるようにした例である。
【００７５】
共通立体画像Ｃは、媒体１０の記録面に平行な板状面をもった平板状の土台部ＣＢと、底面が土台部ＣＢに接合された左側円錐部ＣＬと、底面が土台部ＣＢに接合された右側円錐部ＣＲ（実際には、先端部分が切り落とされた裁頭円錐形をしている）と、によって構成される立体構造体の像である。ここで、第１の窓状領域１１に記録されたホログラムＨ１によって再生される共通立体画像Ｃ（三次元空間Ｓ１内に含まれる立体画像）と、第２の窓状領域１２に記録されたホログラムＨ２によって再生される共通立体画像Ｃ（三次元空間Ｓ２内に含まれる共通立体画像Ｃ）とは、形状、サイズ、位置のすべてが一致しており、媒体１０の位置を基準とする絶対座標系において、同一の座標位置ＱＣに配置された同一の立体図形になる。
【００７６】
一方、図の上段に示された星形の立体画像Ａ１は、第１の窓状領域１１に記録されたホログラムＨ１によって再生される立体画像（三次元空間Ｓ１内に含まれる立体画像）であり、図の下段に示された球形の立体画像Ｂ２は、第２の窓状領域１２に記録されたホログラムＨ２によって再生される立体画像（三次元空間Ｓ２内に含まれる立体画像）である。ここで、星形の立体画像Ａ１も球形の立体画像Ｂ２も、その中心点（たとえば、立体図形の重心）は、媒体１０の位置を基準とする絶対座標系において、同一の特定位置Ｑにくるように配置されている。
【００７７】
したがって、２つの窓状領域１１，１２を通して媒体１０の奥に広がる三次元空間を眺めると、いずれの窓からも、背景として、全く同一の位置ＱＣに、同一の共通立体画像Ｃが配置されている状態が観察されるが、その手前には、異なる立体画像が観察されることになる。すなわち、第１の窓状領域１１の奥に形成される第１の三次元空間Ｓ１内には、図の上段に示すように、背景となる共通立体画像Ｃの手前の特定位置Ｑに、星形の立体画像Ａ１が観察されるのに対して、第２の窓状領域１２の奥に形成される第２の三次元空間Ｓ２内には、図の下段に示すように、背景となる共通立体画像Ｃの手前の特定位置Ｑに、球形の立体画像Ｂ２が観察される。
【００７８】
観察者から見ると、両方の窓の奥には、背景となる共通立体画像Ｃが観察されるので、背景部分については、日常生活の経験に合致した三次元空間が認識されることになる。すなわち、共通立体画像Ｃの存在により、観察者には、「両方の窓の奥には、共通の三次元空間が広がっている」との認識を抱かせる効果が得られる。それにもかかわらず、その手前に配置された物体に着目すると、左側の窓状領域１１を通して観察した場合には、星形の立体画像Ａ１が観察されるのに、右側の窓状領域１２を通して観察した場合には、球形の立体画像Ｂ２が観察される、という異様な現象が認識されることになる。
【００７９】
このように、共通立体画像Ｃを付加すると、観察者に与える特異な視覚的効果は更に顕著になる。左右のいずれの窓を覗いても、同一の共通立体画像Ｃが観察されるので、そこには「窓から眺めた外界の景色」という日常生活における常識に合致した三次元空間が広がっていることになる。ところが、その手間に配置された物体についてのみ、左の窓を通して見える物体の形状と右の窓を通して見える物体の形状とが一致しない、という不可解な現象が生じるので、観察者に対しては、極めて特異な視覚的効果を与えることが可能になる。
【００８０】
このような視覚的効果を与えるホログラム記録媒体１０を作成するには、第１の三次元空間Ｓ１内の絶対座標系における共通位置ＱＣに共通立体画像Ｃが再生され、特定位置Ｑに第１の立体画像Ａ１が再生されるように、第１の窓状領域１１内に第１のホログラムＨ１を記録するとともに、第２の三次元空間Ｓ２内の絶対座標系における前記共通位置ＱＣに前記共通立体画像Ｃが再生され、前記特定位置Ｑに第１の立体画像Ａ１とは異なる第２の立体画像Ｂ２が再生されるように、第２の窓状領域１２内に第２のホログラムＨ２を記録すればよい。
【００８１】
続く図９に示す実施形態は、図の上段に示すように、第１の窓状領域１１に記録されたホログラムＨ１によって、背景となる共通立体画像Ｃと星形の立体画像Ａ１とを含む第１の三次元空間Ｓ１が再生され、図の下段に示すように、第２の窓状領域１２に記録されたホログラムＨ２によって、背景となる共通立体画像Ｃと星形の立体画像Ａ２とを含む第２の三次元空間Ｓ２が再生されるようにした例である。
【００８２】
この例でも、共通立体画像Ｃは、図８の例と同様に、土台部ＣＢと、左側円錐部ＣＬと、右側円錐部ＣＲと、によって構成される立体構造体の像であり、第１の窓状領域１１に記録されたホログラムＨ１によって再生される共通立体画像Ｃ（三次元空間Ｓ１内に含まれる立体画像）と、第２の窓状領域１２に記録されたホログラムＨ２によって再生される共通立体画像Ｃ（三次元空間Ｓ２内に含まれる共通立体画像Ｃ）とは、形状、サイズ、位置のすべてが一致しており、媒体１０の位置を基準とする絶対座標系において、同一の座標位置ＱＣに配置された同一の立体図形になる。
【００８３】
一方、この背景となる共通立体画像Ｃの手前には、いずれの場合も、同一（同形同サイズ）の星形の立体画像が再生されるものの、媒体１０の位置を基準とする絶対座標系における再生位置は両者で異なっている。すなわち、ホログラムＨ１による再生像Ａ１は第１の位置Ｑ１（左側円錐部ＣＬの左側の位置）に現れるのに対して、ホログラムＨ２による再生像Ａ２は第２の位置Ｑ２（左側円錐部ＣＬと右側円錐部ＣＲとの間の位置）に現れる。
【００８４】
したがって、２つの窓状領域１１，１２を通して媒体１０の奥に広がる三次元空間を眺めると、いずれの窓からも、背景として、全く同一の位置ＱＣに、同一の共通立体画像Ｃが配置されている状態が観察されるが、その手前に配置された星形の立体画像の再生位置は、覗く窓によって異なることになる。すなわち、観察者が、左側の窓状領域１１を通して観察すると、第１の位置Ｑ１に星形の立体画像Ａ１が配置されているように認識できるが、右側の窓状領域１２を通して観察すると、第２の位置Ｑ２に星形の立体画像Ａ２が配置されているように認識でき、あたかも星形の物体が転移したように見える。
【００８５】
この実施形態の場合も、共通立体画像Ｃを付加することにより、観察者に与える特異な視覚的効果を向上させることができる。すなわち、左右のいずれの窓を覗いても、同一の共通立体画像Ｃが観察されるので、観察者には、日常生活における常識に合致した三次元空間が広がっている印象を抱かせることができる。ところが、その手前に配置された物体についてのみ、左の窓を通して見える物体の位置と右の窓を通して見える物体の位置とが一致しない、という不可解な現象が生じるので、観察者に対しては、極めて特異な視覚的効果を与えることが可能になる。
【００８６】
このような視覚的効果を与えるホログラム記録媒体１０を作成するには、第１の三次元空間Ｓ１内の絶対座標系における共通位置ＱＣに共通立体画像Ｃが再生され、第１の位置Ｑ１に特定の立体画像Ａ１が再生されるように、第１の窓状領域１１内に第１のホログラムＨ１を記録するとともに、第２の三次元空間Ｓ２内の絶対座標系における前記共通位置ＱＣに前記共通立体画像Ｃが再生され、前記第１の位置Ｑ１とは異なる第２の位置Ｑ２に特定の立体画像Ａ２（立体画像Ａ１と同一の立体画像）が再生されるように、第２の窓状領域１２内に第２のホログラムＨ２を記録すればよい。
【００８７】
一方、図１０に示す実施形態は、図８に示す実施形態の変形例というべき形態である。すなわち、図１０の上段の図は、図８の上段の図と全く同じ内容の図であり、第１の窓状領域１１に記録されたホログラムＨ１によって、背景となる共通立体画像Ｃと星形の立体画像Ａ１とを含む第１の三次元空間Ｓ１が再生される。これに対して、図１０の下段の図は、図８の下段の図から、球形の立体画像Ｂ２を省略した図になっており、第２の窓状領域１２に記録されたホログラムＨ２では、背景となる共通立体画像Ｃのみを含む第２の三次元空間Ｓ２が再生される。
【００８８】
この図１０に示す例でも、共通立体画像Ｃは、図８の例と同様に、土台部ＣＢと、左側円錐部ＣＬと、右側円錐部ＣＲと、によって構成される立体構造体の像であり、第１の窓状領域１１に記録されたホログラムＨ１によって再生される共通立体画像Ｃ（三次元空間Ｓ１内に含まれる立体画像）と、第２の窓状領域１２に記録されたホログラムＨ２によって再生される共通立体画像Ｃ（三次元空間Ｓ２内に含まれる共通立体画像Ｃ）とは、形状、サイズ、位置のすべてが一致しており、媒体１０の位置を基準とする絶対座標系において、同一の座標位置ＱＣに配置された同一の立体図形になる。
【００８９】
ただ、第１の窓状領域１１に記録されたホログラムＨ１では、図の上段に示すように、背景となる共通立体画像Ｃとともに、その手前に星形の立体画像Ａ１が再生されることになるが、第２の窓状領域１２に記録されたホログラムＨ２では、図の下段に示すように、背景となる共通立体画像Ｃのみの再生が行われ、星形の立体画像の再生は行われない。
【００９０】
したがって、２つの窓状領域１１，１２を通して媒体１０の奥に広がる三次元空間を眺めると、いずれの窓からも、背景として、全く同一の位置ＱＣに、同一の共通立体画像Ｃが配置されている状態が観察されるが、その手前には、覗く窓によって、星形の立体画像が観察されたりされなかったりする。
【００９１】
この実施形態の場合も、共通立体画像Ｃを付加することにより、観察者に与える特異な視覚的効果を向上させることができる。すなわち、左右のいずれの窓を覗いても、同一の共通立体画像Ｃが観察されるので、観察者には、日常生活における常識に合致した三次元空間が広がっている印象を抱かせることができる。ところが、その手間に配置された物体については、左の窓を通して観察すると見えるのに、右の窓を通して観察すると見えない、という不可解な現象が生じるので、観察者に対しては、極めて特異な視覚的効果を与えることが可能になる。
【００９２】
このような視覚的効果を与えるホログラム記録媒体１０を作成するには、第１の三次元空間Ｓ１内の絶対座標系における共通位置ＱＣに共通立体画像Ｃが再生され、特定位置Ｑに特定の立体画像Ａ１が再生されるように、第１の窓状領域１１内に第１のホログラムＨ１を記録するとともに、第２の三次元空間Ｓ２内の絶対座標系における前記共通位置ＱＣに前記共通立体画像Ｃが再生され、前記特定位置Ｑには何も立体画像が再生されないように、第２の窓状領域１２内に第２のホログラムＨ２を記録すればよい。
【００９３】
＜＜＜  §４．周期的画像を用いる記録態様  ＞＞＞
続いて、ここでは、ホログラムとして記録する立体画像として、空間的な周期形状をもつ周期的画像を利用する実施形態を述べる。
【００９４】
いま、図１１の上面図に示すように、三次元空間Ｓ０内において、平板状の土台部ＦＢの上にピッチＰで円錐部Ｆ１〜Ｆ５が配置された周期的画像Ｆを、記録媒体Ｍ上にホログラムＨとして記録することを考えてみよう。円錐部Ｆ１〜Ｆ５は、いずれも同じサイズの円錐であり、ピッチＰで等間隔に図の横方向に一列に並んでいるものとする。別言すれば、この周期的画像Ｆは、図の横方向に周期Ｐの周期的形状をもつ立体図形ということになる。一方、記録媒体Ｍは、土台部ＦＢの板状面に平行な矩形状の記録面をもった媒体であり、図の横方向の寸法がＬであるものとする（ここで、Ｌ≦Ｐとする：Ｌ＝Ｐの場合は、隣接窓状領域間に間隙領域（枠状領域）を設けない実施形態になる。）
【００９５】
もちろん、周期的画像Ｆを、記録媒体Ｍ上にホログラムＨとして記録する方法としては、古典的な光学的な手法を用いてもよいし、計算機合成ホログラム（ＣＧＨ）の手法を用いてもかまわない。いずれにしても、周期的画像Ｆを構成する立体図形表面の各点から記録媒体Ｍの記録面に向かう物体光と、所定の参照光と、によって生じる干渉縞が記録面上にホログラムＨとして記録されることになる。当然、所定の条件で、このホログラムＨに再生用照明光を当てて観察すれば、図示のような三次元空間Ｓ０が再生され、周期的画像Ｆの再生像を得ることができる。
【００９６】
次に、図１２に示すように、１枚のホログラム記録媒体２０上に、５つの窓状領域２１〜２５を定義する。図示の媒体２０は横断面を示すものであり、ハッチングを施して示す各部分は枠状領域２６である。この枠状領域２６は、各窓状領域２１〜２５の外周を取り囲む窓枠として機能する。５つの窓状領域２１〜２５は、いずれも図１１に示す記録媒体Ｍと同じサイズの矩形領域（図の横方向の寸法はＬ）であり、図の横方向にピッチＰで一列に周期的に配列されている。
【００９７】
ここで、５つの窓状領域２１〜２５のそれぞれに、図１１の記録媒体Ｍに記録したホログラムＨと同一のホログラムを記録した場合を考えてみよう。ここでは、各窓状領域２１〜２５に記録されたホログラムを、それぞれＨ２１〜Ｈ２５と呼ぶことにする。ホログラムＨ２１〜Ｈ２５は、それぞれ媒体２０上における形成位置は異なるが、互いに同一の干渉縞からなり、いずれも、図１１に示す記録媒体Ｍの位置において再生すると、図１１の上段に示すような周期的画像Ｆを再生する機能を有している。
【００９８】
図１３は、このようなホログラム記録媒体２０について、視点Ｅ３から窓状領域２３を観察し、ホログラムＨ２３を再生した状態を示す上面図である。図示のとおり、窓状領域２３の奥に広がる三次元空間Ｓ２３には、周期的画像Ｆが再生されることになる。図１３に示す窓状領域２３の位置は、図１１に示す記録媒体Ｍの位置に対応するので、図１３に示す三次元空間Ｓ２３に、図１１に示す三次元空間Ｓ０と同じ周期的画像Ｆが再生されるのは当然である。
【００９９】
一方、図１４は、このようなホログラム記録媒体２０について、視点Ｅ４から窓状領域２４を観察し、ホログラムＨ２４を再生した状態を示す上面図である。図示のとおり、窓状領域２４の奥に広がる三次元空間Ｓ２４には、やはり周期的画像Ｆが再生されることになる。但し、絶対座標系上での窓状領域２４の位置は、窓状領域２３の位置より右方へピッチＰだけずれているので、三次元空間Ｓ２４における周期的画像Ｆの再生位置は、三次元空間Ｓ２３における周期的画像Ｆの再生位置よりもピッチＰだけ右方へずれたものになる。また、窓状領域２５を観察し、ホログラムＨ２５を再生した場合に観察される周期的画像Ｆの再生位置は、更に右方へピッチＰだけずれたものになる。
【０１００】
更に、図１５は、このようなホログラム記録媒体２０について、視点Ｅ２から窓状領域２２を観察し、ホログラムＨ２２を再生した状態を示す上面図である。図示のとおり、窓状領域２２の奥に広がる三次元空間Ｓ２２には、やはり周期的画像Ｆが再生される。但し、絶対座標系上での窓状領域２２の位置は、窓状領域２３の位置より左方へピッチＰだけずれているので、三次元空間Ｓ２２における周期的画像Ｆの再生位置は、三次元空間Ｓ２３における周期的画像Ｆの再生位置よりもピッチＰだけ左方へずれたものになる。また、窓状領域２１を観察し、ホログラムＨ２１を再生した場合に観察される周期的画像Ｆの再生位置は、更に左方へピッチＰだけずれたものになる。
【０１０１】
このように、５つの窓状領域２１〜２５のそれぞれを通して観察される周期的画像Ｆの再生位置は、互いにピッチＰだけずれたものになる。ただ、周期的画像Ｆは、ピッチＰに等しい空間周期Ｐをもった周期的形状をもつ立体画像であるため、ピッチＰだけずれた複数の周期的画像Ｆは、媒体２０の奥に形成される三次元空間上で互いに重なることになる。たとえば、図１３に示す円錐部Ｆ３と、図１４に示す円錐部Ｆ２と、図１５に示す円錐部Ｆ４とは、絶対座標系上で同一の位置を占めるため、観察者から見た場合、同一の円錐図形として把握されることになる。
【０１０２】
図示の例の場合、周期的画像Ｆは、たかだか５つの円錐部Ｆ１〜Ｆ５を並べた５周期分の周期的画像であるが、これを無限大個の円錐部を並べた周期的画像にすれば、理論的には、どの窓状領域から覗いても、完全に同一の周期的画像Ｆが観察されることになる。もっとも、有限個の円錐部を並べた周期的画像Ｆを用いた場合でも、両端部分において周期性が維持されないだけなので、実用上は、図示のような５つの円錐部Ｆ１〜Ｆ５を並べた５周期分の周期的画像を用いたとしても、観察者には、どの窓から覗いてもほぼ同じ画像が把握できることになる。したがって、この５つの窓状領域２１〜２５を正面から見た観察者には、各窓の真うしろにそれぞれ１個ずつ円錐が配置されている様子が把握できるであろう。
【０１０３】
さて、ここで、周期的画像Ｆに非周期的画像を加えた原画像を、ホログラムＨとして記録する場合を考えてみよう。図１６は、図１１に示す周期的画像Ｆに、非周期的立体画像Ａ，Ｂを付加した状態を示す上面図である。立体画像Ａは、周期的画像Ｆの位置を基準とする相対座標系上の所定位置Ｑａに配置された星形の立体画像であり、立体画像Ｂは、同じく相対座標系上の所定位置Ｑｂに配置された球形の立体画像である。周期的画像Ｆが周期Ｐの周期的形状をもつ立体画像であるのに対して、立体画像Ａ，Ｂは、そのような周期性をもたない立体画像である。
【０１０４】
このように、三次元空間Ｓ０内に配置された周期的画像Ｆおよび非周期的画像Ａ，Ｂを、記録媒体Ｍ上にホログラムＨとして記録することを考えてみよう。ここでも、記録媒体Ｍは、土台部ＦＢの板状面に平行な矩形状の記録面をもった媒体であり、図の横方向の寸法がＬであるものとする（ここで、Ｌ≦Ｐとする）。
【０１０５】
次に、図１２に示すホログラム記録媒体２０上の５つの窓状領域２１〜２５のそれぞれに、図１６の記録媒体Ｍに記録したホログラムＨと同一のホログラムを記録した場合を考えてみよう。この場合も、各窓状領域２１〜２５に記録されたホログラムを、それぞれＨ２１〜Ｈ２５と呼ぶことにする。これらのホログラムＨ２１〜Ｈ２５は、それぞれ媒体２０上における形成位置は異なるが、互いに同一の干渉縞からなり、いずれも、図１６に示す記録媒体Ｍの位置において再生すると、図１６の上段に示すような周期的画像Ｆおよび非周期的画像Ａ，Ｂを再生する機能を有している。
【０１０６】
図１７は、このようなホログラム記録媒体２０について、視点Ｅ３から窓状領域２３を観察し、ホログラムＨ２３を再生した状態を示す上面図である。図示のとおり、窓状領域２３の奥に広がる三次元空間Ｓ２３には、周期的画像Ｆおよび非周期的画像Ａ３，Ｂ３が再生されることになる。図１７に示す窓状領域２３の位置は、図１６に示す記録媒体Ｍの位置に対応するので、図１７に示す三次元空間Ｓ２３に、図１６に示す三次元空間Ｓ０と同じ周期的画像Ｆが再生されるのは当然である。また、図１７に示す非周期的画像Ａ３，Ｂ３は、図１６に示す非周期的画像Ａ，Ｂと同一の立体画像であり、媒体２０の位置を基準とする絶対座標系上における位置Ｑ１，Ｑ２は、図１６に示す相対座標系上における位置Ｑａ，Ｑｂに一致する。
【０１０７】
一方、図１８は、このようなホログラム記録媒体２０について、視点Ｅ４から窓状領域２４を観察し、ホログラムＨ２４を再生した状態を示す上面図である。図示のとおり、窓状領域２４の奥に広がる三次元空間Ｓ２４には、周期的画像Ｆおよび非周期的画像Ａ４，Ｂ４が再生されることになる。但し、絶対座標系上での窓状領域２４の位置は、窓状領域２３の位置より右方へピッチＰだけずれているので、三次元空間Ｓ２４における周期的画像Ｆの再生位置は、三次元空間Ｓ２３における周期的画像Ｆの再生位置よりもピッチＰだけ右方へずれたものになる。また、図１８に示す非周期的画像Ａ４，Ｂ４は、図１６に示す非周期的画像Ａ，Ｂと同一の立体画像であり、媒体２０の位置を基準とする絶対座標系上における位置Ｑ２，Ｑ３は、図１６に示す相対座標系上における位置Ｑａ，Ｑｂに対応するが、これは絶対座標系上では右方へピッチＰだけずらした位置になる。
【０１０８】
結局、周期的画像Ｆも非周期的画像Ａ，Ｂも、５つの窓状領域２１〜２５による個々の再生位置は、ピッチＰだけずれたものになる。ところが、周期的画像Ｆは、前述したとおり、ピッチＰに等しい空間周期Ｐをもった周期的形状をもつ立体画像であるため、ピッチＰだけずれた複数の周期的画像Ｆは、媒体２０の奥に形成される５通りの三次元空間Ｓ２１〜Ｓ２５上で互いに重なり、観察者には、どの窓から覗いても同じ立体画像として把握されることになる。これに対して、非周期的画像Ａ，Ｂは周期性をもたないため、ピッチＰだけずれた複数の再生像がそれぞれ別個に観察されることになる。
【０１０９】
たとえば、窓状領域２３を通して観察される三次元空間Ｓ２３内では、図１７に示すように、位置Ｑ１に星形の立体画像Ａ３が配置され、位置Ｑ２に球形の立体画像Ｂ３が配置されているように見えるが、窓状領域２４を通して観察される三次元空間Ｓ２４内では、図１８に示すように、位置Ｑ２に星形の立体画像Ａ４が配置され、位置Ｑ３に球形の立体画像Ｂ４が配置されているように見える。
【０１１０】
これは、§３で述べた「共通立体画像を用いる記録態様」と同等の特異な視覚的効果である。すなわち、観察者から見ると、各窓の奥には、背景となる共通立体画像（周期的画像Ｆ）が観察されるので、背景部分については、日常生活の経験に合致した三次元空間が認識されることになる。すなわち、共通立体画像（周期的画像Ｆ）の存在により、観察者には、「各窓の奥には、共通の三次元空間が広がっている」との認識を抱かせる効果が得られる。それにもかかわらず、その手前に配置された物体に着目すると、各窓を通して観察した内容が相互に不一致を生じるという異様な現象が認識されることになる。
【０１１１】
なお、ここでは、ホログラム記録媒体２０上に５つの窓状領域２１〜２５を形成した例を示したが、ピッチＰで並べる窓状領域の数は任意でかまわない。また、ここでは、一次元的に窓状領域を配置した例を述べたが、縦横の二次元マトリックス状に窓状領域を配置することも可能である（§５の実施形態参照）。
【０１１２】
原理的には、媒体上に設ける窓状領域の数は最低限２つあれば足りる。２つの窓状領域をもつホログラム記録媒体に適用するには、第１の窓状領域には第１のホログラムを記録し、第２の窓状領域には第２のホログラムを記録するようにし、第１のホログラムと第２のホログラムとは、互いに同一の干渉縞からなるようにし、かつ、周期的画像と非周期的画像とを再生するホログラムであり、前記周期的画像が、第１の窓状領域および第２の窓状領域の配置ピッチＰに等しい空間周期をもった周期的形状をもつ立体画像となるようにすればよい。しかも、第１のホログラムによって第１の三次元空間内に再生された周期的画像と、第２のホログラムによって第２の三次元空間内に再生された周期的画像とは、絶対座標系上において重なり合うようにし、第１のホログラムによって第１の三次元空間内に再生された非周期的画像と、第２のホログラムによって第２の三次元空間内に再生された非周期的画像とは、絶対座標系上において重なり合わないようにすればよい。
【０１１３】
上述したとおり、この§４で述べた「周期的画像を用いる記録態様」は、§３で述べた「共通立体画像を用いる記録態様」と同等の効果を奏することができるが、それに加えて、製造プロセスを容易にする、という付加的な効果も得られる。すなわち、媒体上に複数の窓状領域（上述の例では５つの窓状領域２１〜２５）をピッチＰで並べ、個々の窓状領域内にそれぞれホログラムを記録する際に、すべての窓状領域に同一のホログラム（同一の干渉縞パターン）を記録すれば足りるので、ホログラムの形成プロセスは単純化される。
【０１１４】
特に、電子線描画装置などを用いて、ホログラムを構成する干渉縞パターンを媒体上に描画する場合、電子線描画装置に与える干渉縞パターン形成用の画像データのデータ容量を低減するメリットが得られる。たとえば、§５で述べる例のように、多数の窓状領域を縦横のマトリックス状に配置するような実施形態の場合、どの窓状領域にも同一の画像データを用いて干渉縞パターンの形成を行うことができるメリットは大きい。
【０１１５】
＜＜＜  §５．窓状領域の数・配置・形状  ＞＞＞
これまでの§１〜§３では、ホログラム記録媒体１０上に、２つの窓状領域１１，１２を形成し、それぞれにホログラムＨ１，Ｈ２を記録する例を説明した。また、§４では、ホログラム記録媒体２０上に、５つの窓状領域２１〜２５を形成し、それぞれにホログラムＨ２１〜Ｈ２５を記録する例を説明した。しかしながら、本発明において、媒体上に形成する窓状領域の数は、２以上であれば任意であり、制作者は、媒体上に所望の数の窓状領域を並べることができる。この場合、隣接する２つの窓状領域にそれぞれ記録する一対のホログラムについて、§１〜§４で述べた隣接ホログラム間の特徴が満たされていればよい。
【０１１６】
もちろん、窓状領域は、横方向に並べてもよいし、縦方向に並べてもよい。また、§４では、窓状領域を一次元マトリックス状に配置する例を述べたが、二次元マトリックス状に配置することも可能である。図１９は、ホログラム記録媒体３０上に、正方形状の窓状領域３５を４行４列に並べた例を示す平面図である。各窓状領域３５には、（行番号，列番号）の符号を記して示す。１６個の窓状領域３５は、互いに所定の間隙領域を介して配置されており、これら間隙領域を含み、各窓状領域の外周を取り囲む領域として、枠状領域３９が設けられている。図では、この枠状領域３９に斜線ハッチングを施して示す（斜線ハッチングは、枠状領域３９の形状把握を容易にするためのものであり、断面を示すものではない）。
【０１１７】
この１６個の窓状領域３５には、それぞれ所定のホログラムが記録される。本発明に係るホログラム記録媒体では、この１６個の窓状領域のうち、少なくとも一対の隣接窓状領域に記録される一対のホログラムについて、§１〜§４で述べた隣接ホログラム間の特徴が満たされていればよい。たとえば、窓状領域（２，２）を第１の窓状領域１１とし、窓状領域（２，３）を第２の窓状領域１２として、§１〜§３で述べた方法でそれぞれの領域にホログラムＨ１およびＨ２を記録すれば、少なくとも、これら２つの窓状領域の奥に広がる三次元空間内に再生される立体画像もしくはその位置について不一致が生じることになり、観察者に対して、直観的かつ特異な視覚的効果を与える。
【０１１８】
もっとも、実用上は、このような視覚的効果を高めるため、できるだけ多くの隣接窓状領域対について、§１〜§４で述べた隣接ホログラム間の特徴が満たされるようにするのが好ましい。たとえば、窓状領域（１，１）と（１，２）との間、窓状領域（１，２）と（１，３）との間、窓状領域（１，３）と（１，４）との間、窓状領域（１，１）と（２，１）との間、というような具合に、上下左右に隣接する窓状領域対について、§１〜§４で述べた隣接ホログラム間の特徴が満たされるようにすればよい。
【０１１９】
特に、§３で述べた共通立体画像を利用する実施形態において、図１９に示すように、窓状領域を二次元マトリックス状に配置する構成を採ると、縦横に並ぶ多数の窓状領域から共通立体画像を把握することができるので効果的である。観察者は、これら多数の窓の奥に共通立体画像を視認することにより、媒体３０の奥に広がる共通の三次元空間を認識することができる。それにもかかわらず、一部の立体画像については、覗く窓によって内容や位置に不一致が生じるという特異な現象が確認できることになる。
【０１２０】
また、図１９に示す二次元マトリックス状の窓配置は、§４で述べた周期的画像を利用する実施形態への適用にも向いている。この場合、周期的画像としては、二次元的に周期的な形状を有する図形を用いるようにする。たとえば、図１６に示す例では、周期的画像Ｆとして、記録媒体Ｍの記録面に平行な板状面をもった土台部ＦＢ上に、５つの円錐部Ｆ１〜Ｆ５をピッチＰで図の横方向に一列に並べることによって得られる図形を用いたが、その代わりに、たとえば、２５個の円錐部Ｆ１〜Ｆ２５をピッチＰで図の横方向および図の紙面に垂直な方向に５行５列の二次元マトリックス状に配置してなる周期的画像を用いればよい。一方、非周期的画像としては、図１６の例と同様に、立体画像ＡおよびＢを所定位置Ｑａ，Ｑｂに配置しておけばよい。
【０１２１】
このように、２５個の円錐部を有する周期的画像Ｆと、非周期的画像Ａ，ＢとをホログラムＨとして記録媒体Ｍに記録すれば、この記録媒体Ｍにより、周期的画像Ｆおよび非周期的画像Ａ，Ｂを再生することができる。そこで、図１９に示す１６個の窓状領域（１，１）〜（４，４）のすべてに、記録媒体Ｍに記録したホログラムＨと全く同一のホログラムを記録すれば、１６個の窓の奥には、いずれも周期的画像Ｆと非周期的画像Ａ，Ｂとが再生されることになる。ただ、再生位置は、横もしくは縦にピッチＰだけずれてゆくことになる。このため、横および縦に周期Ｐをもった周期的画像Ｆについては、いずれの窓から覗いた場合でも、同一の立体像として把握されることになるが、非周期的画像Ａ，Ｂについては、各窓の奥に得られる立体像の位置が不一致になり、観察者に特異な視覚的効果を与えることができる。
【０１２２】
一方、図２０は、２通りのホログラムを横方向および縦方向に関して交互に配置する実施形態を示す平面図である。ここで、ホログラム記録媒体４０上に、正方形状の窓状領域４５を４行４列に並べ、各窓状領域４５の周囲に枠状領域４９（斜線ハッチングは、形状把握を容易にするためのものであり、断面を示すものではない）を設けるという配置に関しては、図１９に示す例と全く同様である。
【０１２３】
図２０に示す例の場合、各窓状領域には、丸数字１もしくは丸数字２が記されているが、丸数字１が記された窓状領域を第１の窓状領域、丸数字２が記された窓状領域を第２の窓状領域として、§１〜§３で述べた方法でそれぞれの領域にホログラムＨ１およびＨ２を記録すれば、上下もしくは左右に隣接する２つの窓状領域について、奥に広がる三次元空間内に再生される立体画像もしくはその位置についての不一致が必ず生じることになり、観察者に特異な視覚的効果を与えることができる。
【０１２４】
もちろん、二次元マトリックス状の窓配置は、図１９および図２０に例示するような４行４列に限定されるものではない。一般に、Ｍ行Ｎ列の二次元マトリックスをなすように、互いに所定間隔をおいて配置された（Ｍ×Ｎ）個の窓状領域を形成すればよい。ここで、図２０に示す例のように、２通りのホログラムを横方向および縦方向に関して交互に配置する実施形態を採る場合は、「ｉ＋ｊ」が偶数となるような第ｉ行（１≦ｉ≦Ｍ）第ｊ列（１≦ｊ≦Ｎ）目の窓状領域によって第１の窓状領域（第１のホログラムＨ１が記録される）を構成し、「ｉ＋ｊ」が奇数となるような第ｉ行（１≦ｉ≦Ｍ）第ｊ列（１≦ｊ≦Ｎ）目の窓状領域によって第２の窓状領域（第２のホログラムＨ２が記録される）を構成し、これら各窓状領域の間隙部分を含み外周を取り囲む部分によって枠状領域を構成すればよい。
【０１２５】
なお、これまでの例では、窓状領域の形状を矩形としているが、本発明を実施する上で、窓状領域の形状は必ずしも矩形にする必要はなく、円形、三角形、六角形など、任意の形状でかまわない。ただ、隣接する一対の窓の奥に広がる三次元空間内の立体画像に不一致が生じていることを観察者に明確に認識させる上では、矩形の窓状領域が最も効果的であると考えられる。
【０１２６】
＜＜＜  §６．その他の記録態様  ＞＞＞
これまで、§２〜§５において、本発明の具体的な実施形態をいくつか述べてきたが、ここでは、本発明の更に別な実施形態をいくつか例示しておく。
【０１２７】
（１）  隠し立体画像
§２では、図６および図７に示す星形の立体画像Ａ１，Ａ２が「隠し立体画像」になることを説明した。すなわち、図６および図７に示す星形の立体画像Ａ１，Ａ２は、観察者が媒体１０の両方の窓を正面から眺めても見ることはできない画像になっている。立体画像Ａ１を見るためには、左側の窓（第１の窓状領域１１）から斜め右奥を覗き込む必要があり、立体画像Ａ２を見るためには、右側の窓（第２の窓状領域１２）から斜め左奥を覗き込む必要がある。このような現象は、日常は経験することのない極めて特異な現象であり、このような「隠し立体画像」を記録した媒体は、観察者に対して極めて特異な視覚的効果を与えることができる。
【０１２８】
ここでは、この「隠し立体画像」の記録方法をもう少し詳しく説明しよう。図２１は、本発明における隠し立体画像の記録方法を示す上面図である。これまで述べてきた例と同様に、横断面を示すホログラム記録媒体１０には、第１の窓状領域１１と第２の窓状領域１２とが形成されており、第１の窓状領域１１には第１のホログラムＨ１が記録されており、第２の窓状領域１２には第２のホログラムＨ２が記録されている。
【０１２９】
いま、観察者が視点Ｅに示す位置に両眼をおいて、媒体１０を正面から観察する場合を考える。この場合、枠状領域１３の背後に隠れるような位置に再生像が得られるハート形の立体画像Ｄは、各窓状領域１１，１２を正面から観察する限りは視野に入らない位置に再生される隠し立体画像になる。図示のとおり、ハート形の立体画像Ｄは、窓状領域１１を通しても、窓状領域１２を通しても、正面から観察する限りは、枠状領域１３の背後に隠れて見えない。したがって、ハート形の立体画像Ｄは、第１のホログラムＨ１に記録した場合も、第２のホログラムＨ２に記録した場合も、いずれも隠し立体画像になる。
【０１３０】
これに対して、星形の立体画像Ａは、第１のホログラムＨ１に記録した場合は隠し立体画像になるが、第２のホログラムＨ２に記録した場合は、窓状領域１２を通して観察すると、正面に見える通常の立体画像になる。
【０１３１】
結局、隠し立体画像は、枠状領域１３の背後に隠れるような位置に立体画像を配置することによって作成することもできるし、ホログラムの記録対象となる窓状領域とは異なる別な窓状領域の真うしろに立体画像を配置することによって作成することもできる。より具体的に説明すれば、特定の窓状領域を奥方向へ正射影して得られる見通しゾーンの外に配置された隠し立体画像が、当該特定の窓状領域にホログラムとして記録されているようにすればよい。
【０１３２】
たとえば、図２１に示す例の場合、窓状領域１１を奥方向へ正射影して得られる見通しゾーン（窓状領域１１を、記録面１０に対して垂直な方向へ移動させて得られる空間）は、図において破線で挟まれたゾーンＺ１になる。そこで、この見通しゾーンＺ１の外に配置された立体画像Ａ，Ｄを、当該窓状領域１１内にホログラムＨ１として記録すれば、これらは隠し立体画像になる。同様に、窓状領域１２を奥方向へ正射影して得られる見通しゾーンＺ２の外に配置された立体画像Ｄを、当該窓状領域１２内にホログラムＨ２として記録すれば、これは隠し立体画像になる。
【０１３３】
このように、記録対象となる複数の立体画像のうち、少なくとも一部の立体画像を、各窓状領域を正面から観察する限りは視野に入らない位置に再生される隠し立体画像としておけば、斜め方向から窓の奥を覗き込んだときにのみ隠し立体画像を発見することができるようになり、観察者に対して特異な視覚的効果を与えることができる。
【０１３４】
（２）  平面的な立体画像
本発明において、ホログラム記録媒体１０に記録する立体画像は、どのような形状のものであってもかまわない。ここで、本発明にいう「立体画像」とは、観察者が三次元空間内に配置された何らかの再生像として把握できるものであれば足り、必ずしも当該像自体が三次元の立体である必要はない。したがって、文字のよう平面的な像であっても、それが三次元空間内に配置された状態がホログラムとして記録されていれば、本発明にいう「立体画像」に含まれる。たとえば、「ＡＢＣ」のような厚みのない平面的な文字フォントを三次元空間内に配置し、これをホログラムとして記録するような態様でも、本発明は実施可能である。この場合、「ＡＢＣ」なる文字フォントからなる平面的な画像であっても、本発明にいう「立体画像」になる。
【０１３５】
（３）  複数のオブジェクトからなる立体画像
これまで述べてきた実施形態では、いずれも、１つの塊となった図形（幾何学上の連続体）を立体画像として用いていたが、本発明で用いる立体画像は、必ずしもこのような一塊の図形である必要はなく、空間的に離隔配置された複数のオブジェクト（部品）から構成されるものでもかまわない。
【０１３６】
図２２は、１つの立体画像を、空間的に離隔配置された複数のオブジェクトによって構成した変形例を示す上面図である。図示の例では、立体画像Ａは、全体的に星をモチーフとした立体画像であるが、合計６個の独立したオブジェクトの集合体によって構成されている。一方、立体画像Ｂは、全体的に球をモチーフとした立体画像であるが、２つの半球状のオブジェクトの集合体によって構成されている。また、立体画像Ｃは、多数の円錐状のオブジェクトを横方向に並べた集合体から構成されている。
【０１３７】
このように、複数のオブジェクト（部品）から構成される立体画像Ａ，Ｂ，Ｃを用いた場合でも、これらの立体画像を、記録媒体１０上の窓状領域１１，１２にホログラムとして記録する方法に変わりはない。各オブジェクトからの物体光と参照光とによって形成される干渉縞を記録面に記録すればよい。
【０１３８】
（４）  マイクロ文字の記録
図１に示す枠状領域１３、図１９に示す枠状領域３９、図２０に示す枠状領域４９は、いずれも各窓状領域を囲う窓枠として機能する領域であり、ホログラムの記録が必要とされる領域ではない。したがって、この枠状領域に、任意の付加情報を記録しても、ホログラムの再生に支障が生じることはない。
【０１３９】
そこで、この枠状領域に、高さが３００μｍ以下のマイクロ文字を記録すると、真贋判定に役立たせることができる。一般に、高さが３００μｍ以下のマイクロ文字は、肉眼による認識が不可能な文字とされている。したがって、枠状領域にマイクロ文字を記録しても、媒体を肉眼観察する限りは文字の認識はできず、たとえば、クレジットカード用の偽造防止シールに利用した場合、一般需用者は、マイクロ文字の存在すら認識できないであろう。しかしながら、ルーペなどの拡大手段を用いて観察すれば、枠状領域に記録したマイクロ文字を文字として認識することができるので、マイクロ文字の存在を知得している者は、真贋判定の一要素として利用することができる。
【０１４０】
本願発明の場合、枠状領域には、媒体の記録面上の位置に平面画像が観察されるように画像情報が記録される（具体的な記録方法は、§７参照）。マイクロ文字は、この画像情報の一部として枠状領域に記録されることになるので、記録面上に配置された画像として観察されることになる。このため、マイクロ文字は、高さ３００μｍ以下という微細な文字ではあるが、窓状領域の奥に再生されるホログラム像に比べて、鮮明な再生像として観察される。
【０１４１】
一般に、ホログラムの場合、像の再生位置が媒体の記録面から離れれば離れるほど、当該再生像はぼけてしまう。本願発明において窓状領域内に記録されたホログラム像は、記録面よりも奥に再生されることになるので、観察時に若干のボケが生じることは避けられない。したがって、本願発明の場合、文字を窓状領域内にホログラムとして記録した場合、再生される文字の視認性は低下し、特に、高さ３００μｍ以下のマイクロ文字では判読が非常に困難になる。ここで述べた実施形態では、マイクロ文字を枠状領域に記録することにより、このような問題を解決している。枠状領域に記録された平面画像は、記録面上の位置に再生されるので、再生像にボケが生じることがなく、マイクロ文字であっても判読性に支障は生じない。
【０１４２】
＜＜＜  §７．枠状領域の構造  ＞＞＞
既に述べたとおり、図１に示す枠状領域１３、図１９に示す枠状領域３９、図２０に示す枠状領域４９は、いずれも各窓状領域を囲う窓枠として認識されることになる。特に、図１に示す例のように、第１の窓状領域１１および第２の窓状領域１２が同じ大きさの矩形をなし、第１の窓状領域１１と第２の窓状領域１２との間の空隙領域が細長い長方形をなし、枠状領域１３がこの細長い長方形を含む複数の矩形を組み合わせることにより得られる図形をなすようにすれば、観察者は、窓状領域１１，１２と枠状領域１３との関係を、日常生活で目にする部屋の窓と窓枠との関係に似た関係として把握するであろう。
【０１４３】
もっとも、日常生活で目にする部屋の窓は、外界の景色を眺めることができるように透明な素材からなり、窓枠は、窓の輪郭が明確に把握できるよう不透明な素材からなるのが一般的である。したがって、本発明においても、枠状領域の部分は、窓状領域とは視覚的に明確に区別できるようにするのが好ましい。
【０１４４】
枠状領域の部分と、窓状領域の部分とを、視覚的に差別化するひとつの方法は、枠状領域の部分に何らかの印刷を施すことである。たとえば、図１に示す例において、斜線ハッチングを施して示す枠状領域１３の部分に、黒色インクによる窓枠模様を印刷すれば、窓状領域１１，１２の部分は、黒色模様で縁取られた窓の部分として把握されることになろう。
【０１４５】
ただ、現在、商用利用されているホログラム記録媒体は、銀色の樹脂シートを構成する複層体の所定層に凹凸パターンとしてホログラム干渉縞を記録するタイプが主流であり、そのような媒体に窓枠模様を印刷すると、ホログラムが記録された窓状領域と印刷が施された枠状領域との質感がミスマッチし、意匠的に違和感が生じてしまう。したがって、実用上は、本発明において媒体上に枠状領域を設ける場合には、以下に述べる３通りの方法のいずれかによって、当該枠状領域に、媒体の記録面上の位置に平面画像が観察されるように画像情報を記録するのが好ましい。
【０１４６】
まず、第１の方法は、枠状領域に、平面画像の再生を行うための回折格子を配置する方法である。たとえば、図１に示す例において、斜線ハッチングを施して示す枠状領域１３の部分に回折格子を形成すれば、この媒体１０を観察する際に、枠状領域１３に特有の光学的な効果（観察角度を変えることにより、様々な色の回折光が観察できる効果）が得られる。回折格子によって得られる光学的効果と、ホログラムによって得られる光学的効果とは、必ずしも同じ効果ではないが、いずれも光学的な作用による特有の効果であるため、窓状領域１１，１２と枠状領域１３との質感はマッチし、意匠的にも違和感は生じない。また、窓状領域１１，１２には、ホログラムによる立体再生像が得られるのに対して、枠状領域１３には、媒体の記録面（媒体の表面）の位置に、回折格子による平面画像が得られることになるので、枠状領域の部分と、窓状領域の部分とは、同じ質感を提示しつつ、視覚的に差別化して認識されることになる。
【０１４７】
この第１の方法を採る場合は、枠状領域１３に、回折格子が形成された多数の画素の集合体によって、平面模様を記録するのが好ましい。図２３は、図１に示す基本的実施形態に係るホログラム記録媒体１０の部分拡大図である。図の下段に示された円形領域は、図の上段に示された記録媒体１０の一部分（窓状領域１１の左下隅部）の拡大図に相当する。窓状領域１１には、ホログラムが記録されている。このホログラムは、干渉縞パターンを凹凸模様や濃淡模様によって表現したものであり、当該干渉縞パターンそれ自身は肉眼で把握することはできない。図では、便宜上、窓状領域１１内にランダムなハッチングパターンを施し、干渉縞パターンが形成されていることを示している。
【０１４８】
一方、枠状領域１３は、図示のとおり、小さな正方形状の画素Ｇの集合体によって構成されている。個々の画素Ｇには、それぞれ所定ピッチ、所定向きで回折格子が形成されている。もちろん、回折格子を構成する格子線のピッチは、光の波長レベルの寸法になるため、個々の画素Ｇ内の回折格子を肉眼で把握することはできないが、図では、便宜上、様々な方向を向いた格子線のイメージが描かれている。格子線のピッチは、回折光の波長を左右するパラメータとなり、格子線の向きは、回折光の向かう方向を左右するパラメータとなるので、格子線のピッチや向きを様々に変えた画素を用いることにより、様々な色彩をもった平面模様を表現することができる。
【０１４９】
結局、この図２３に示すホログラム記録媒体１０では、枠状領域１３の部分には、回折格子が形成された多数の画素Ｇの集合体からなる窓枠模様が平面画像として観察され、窓状領域１１，１２の部分には、奥に広がる三次元空間内に配置された立体画像が観察されることになる。上述したとおり、いずれも光学的な作用によって画像の観察が行われるので、全体的な質感はマッチし、意匠的な違和感は生じない。すなわち、見る角度によって、窓状領域１１，１２の奥に観察される立体画像の姿勢は変化するが、このとき枠状領域１３に観察される窓枠模様の態様も変化することになる。なお、枠状領域１３に配置される画素のサイズを十分小さくすれば（たとえば、一辺３０μｍの正方形にすれば）、§６（４）で述べたマイクロ文字を画素の集合体として形成することが可能である。
【０１５０】
第２の方法は、上述した第１の方法における回折格子の代わりに、光散乱要素を用いる方法である。ここで、光散乱要素とは、表面に散乱構造が形成された物理的な媒体である。回折格子が入射した光を回折して回折光を生じる機能を果たすのに対して、光散乱要素は、入射した光を散乱して散乱光を生じる機能を果たす。具体的には、たとえば、媒体の表面にエッチング装置やＥＢ描画装置によって、光の散乱に適した凹凸構造を形成することにより光散乱要素を形成することができる。このような光散乱要素を用いて光学的記録媒体を形成する技術は、たとえば、特開２００２−３２８６３９号公報や特開２００２−３３３８５４号公報などに開示されている公知の技術であるため、ここでは詳しい説明は省略する。
【０１５１】
この第２の方法を採る場合も、枠状領域１３に、光散乱要素が形成された多数の画素の集合体によって、平面模様を記録するのが好ましい。図２３の下段には、個々の画素Ｇ内に回折格子を形成した例が示されているが、その代わりに、個々の画素Ｇを光散乱要素によって構成すればよい。画素Ｇを構成する各光散乱要素の散乱特性を種々変えることにより、様々な窓枠模様を表現することが可能である。もちろん、マイクロ文字を画素の集合体として形成することも可能である。
【０１５２】
第３の方法は、枠状領域１３に、ホログラムとして窓枠模様を記録する方法である。この場合、窓状領域１１，１２にも、枠状領域１３にも、ホログラムが記録されることになる。ただ、窓状領域１１，１２に記録されるホログラムは、その奥に広がる三次元空間内に配置された立体画像を再生するためのホログラムであるのに対して、枠状領域１３に記録されるホログラムは、媒体１０の記録面の位置に再生される平面模様のホログラムということになる。すなわち、枠状領域１３に記録されたホログラムによる再生像は、平面的な模様の像であり、しかも媒体１０の記録面（表面）に位置する像になるので、観察者から見れば、やはり窓の周囲を囲った窓枠として把握されることになる。
【符号の説明】
【０１５３】
１０：ホログラム記録媒体
１１：第１の窓状領域
１２：第２の窓状領域
１３：枠状領域（窓枠のように見える）
２０：ホログラム記録媒体
２１〜２５：窓状領域
２６：枠状領域（窓枠のように見える）
３０：ホログラム記録媒体
３５：窓状領域
３９：枠状領域（窓枠のように見える）
４０：ホログラム記録媒体
４５：窓状領域
４９：枠状領域（窓枠のように見える）
Ａ，Ａ１〜Ａ４：星形の立体画像
ａ：立体画像Ａ上のサンプル点
Ｂ，Ｂ１〜Ｂ４：球形の立体画像
ｂ：立体画像Ｂ上のサンプル点
Ｃ：共通立体画像
ＣＢ：土台部
ＣＬ：左側円錐部
ＣＲ：右側円錐部
Ｄ：隠し立体画像
Ｅ，Ｅ１〜Ｅ４：視点
Ｆ：周期的画像
ＦＢ：土台部
Ｆ１〜Ｆ５：円錐部
Ｇ：回折格子が形成された画素
Ｈ１：第１の窓状領域１１に記録されたホログラム
Ｈ２：第２の窓状領域１２に記録されたホログラム
Ｈ２１：窓状領域２１に記録されたホログラム
Ｈ２２：窓状領域２２に記録されたホログラム
Ｈ２３：窓状領域２３に記録されたホログラム
Ｈ２４：窓状領域２４に記録されたホログラム
Ｈ２５：窓状領域２５に記録されたホログラム
Ｌ：窓状記録媒体Ｍの幅
Ｍ：窓状記録媒体
Ｐ：円錐部のピッチ／窓状領域のピッチ
Ｑ，Ｑ１〜Ｑ３，ＱＣ：媒体の位置を基準とする絶対座標系上の所定位置
Ｑａ，Ｑｂ：周期的画像の位置を基準とする相対座標系上の所定位置
Ｒ：参照光
Ｓ０：窓状記録媒体Ｍの奥に広がる三次元空間
Ｓ１：窓状領域１１の奥に広がる第１の三次元空間
Ｓ２：窓状領域１２の奥に広がる第２の三次元空間
Ｓ２２：窓状領域２２の奥に広がる三次元空間
Ｓ２３：窓状領域２３の奥に広がる三次元空間
Ｓ２４：窓状領域２４の奥に広がる三次元空間
Ｚ１，Ｚ２：見通しゾーン
【図１】
2010197446.tif 000003
【図２】
2010197446.tif 000004
【図３】
2010197446.tif 000005
【図４】
2010197446.tif 000006
【図５】
2010197446.tif 000007
【図６】
2010197446.tif 000008
【図７】
2010197446.tif 000009
【図８】
2010197446.tif 000010
【図９】
2010197446.tif 000011
【図１０】
2010197446.tif 000012
【図１１】
2010197446.tif 000013
【図１２】
2010197446.tif 000014
【図１３】
2010197446.tif 000015
【図１４】
2010197446.tif 000016
【図１５】
2010197446.tif 000017
【図１６】
2010197446.tif 000018
【図１７】
2010197446.tif 000019
【図１８】
2010197446.tif 000020
【図１９】
2010197446.tif 000021
【図２０】
2010197446.tif 000022
【図２１】
2010197446.tif 000023
【図２２】
2010197446.tif 000024
【図２３】
2010197446.tif 000025